(57)【特許請求の範囲】
【請求項１】
液体を収容したチャンバボディを受け入れ、前記チャンバボディの吐出口から前記液体を吐出させるための拡張可能なポンプ包囲アセンブリであって、
近位端部および遠位端部を有する拡張可能なベースであって、第１ベース部分および第２ベース部分を備え、前記第１ベース部分は、前記第１ベース部分および前記第２ベース部分がコンパクト位置と拡張位置との間を互いに対してスライド移動可能に前記第２ベース部分とスライド係合し、前記拡張位置にある当該ベースは、プランジャーを有する前記チャンバボディであって、ボアおよび前記吐出口を画定し、前記プランジャーがスライド可能に前記ボア内に配置される前記チャンバボディが着座するよう適合されるベースと、
前記ベースにスライド係合するプッシャーであって、前記プランジャーの頭部と接触するよう寸法決めされるプッシャーと、
前記ベースにスライド係合するプラーと、
第１端部と第２端部を含むスプリングであって、前記第１端部はプラーに接続され、前記第２端部はプッシャーに接続され、前記プランジャーを有する前記チャンバボディが前記ベース内に着座したときに前記プラーを遠位側にスライド移動させることにより、前記プッシャーが前記プランジャーの前記頭部に接触して力を加える、スプリングと、
前記ベースの前記近位端部に枢動可能に接続された拡張可能なカバーであって、当該カバーの開放を前記プラーおよび前記プッシャーの近位端部側への移動に変換し、前記チャンバボディが配置されたときの当該カバーの閉塞は前記プッシャーを前記プランジャーに係合させ、前記プラーを前記遠位端部側に移動させ、前記スプリングに張力を発生させるように構成、配置されたリンク機構が当該カバーと前記プラーとの間に枢動可能に連結されたカバーと、を備え、
前記プランジャーを有する前記チャンバボディが前記ベース内に着座しているときに前記カバーを下降させることによって前記プラーを前記遠位端部側に向かって移動させることで前記スプリングに張力を発生させ、それによって前記プッシャーを前記遠位側にスライド移動させて前記プランジャーの前記頭部に接触して力を加え、前記プランジャーを前記ボア内で前記吐出口に向かってスライドさせ、前記吐出口から前記液体を吐出させることを特徴とする拡張可能なポンプ包囲アセンブリ。
【請求項２】
前記チャンバボディは注射器バレルを備え、前記プランジャーは注射器プランジャーであることを特徴とする請求項１に記載の拡張可能なポンプ包囲アセンブリ。
【請求項３】
液体を収容したチャンバボディを受け入れ、前記チャンバボディの吐出口から前記液体を分注するための拡張可能なポンプ包囲アセンブリであって、
遠位端部および近位端部を有するハウジングであって、（ａ）第１ベース部分および第２ベース部分を備えるベースであって、前記第１ベース部分は、前記第１ベース部分および前記第２ベース部分がコンパクト位置と拡張位置との間を互いに対してスライド移動可能に前記第２ベース部分とスライド係合し、前記拡張位置にある当該ベースは、プランジャーを有する前記チャンバボディであって、ボアおよび前記吐出口を画定し、前記プランジャーがスライド可能に前記ボア内に配置される前記チャンバボディが着座するよう適合されるベースと、（ｂ）第１カバー部分および第２カバー部分を備える拡張可能なカバーであって、前記第１カバー部分は前記第２カバー部分とスライド係合し、当該カバーは、当該カバーが開閉可能な位置で、かつ、当該カバーが閉じ位置にあるとき、前記第２ベース部分を前記第１ベース部分に対してスライド移動させることにより前記第２カバー部分を前記第１カバー部分に対して移動させるよう前記ベースに枢動可能に連結されたカバーと、を備えるハウジングと、
前記ベースとスライド係合するプッシャーであって、前記プランジャーの頭部と接触するよう寸法決めされるプッシャーと、
前記ベースとスライド係合するプラーと、
第１端部と第２端部を含むスプリングであって、前記第１端部はプラーに接続され、前記第２端部は前記プッシャーに接続されるスプリングと、
前記カバーおよび前記プラーに枢動可能に連結された第１リンク機構であって、当該第１リンク機構のピボットが、カバーが下降したときにプラーを前記遠位端部に向かって移動させ、カバーが持ち上げられたときにプラーを前記近位端部に向かって移動させるよう配置された第１リンク機構と、を備え、
前記プランジャーを有する前記チャンバボディが前記ベース内に着座しているときに前記カバーを下降させることによって前記プラーを前記遠位端部側に向かって移動させることで前記スプリングに張力を発生させ、それによって前記プッシャーを遠位側にスライド移動させて前記プッシャーが前記プランジャーの前記頭部に接触して力を加え、前記プランジャーを前記ボア内で前記吐出口に向かってスライドさせ、前記吐出口から前記液体を吐出させることを特徴とする拡張可能なポンプ包囲アセンブリ。
【請求項４】
前記チャンバボディは注射器バレルを備え、前記プランジャーは注射器プランジャーであることを特徴とする請求項３に記載の拡張可能なポンプ包囲アセンブリ。
【請求項５】
前記カバーを前記プラーに枢動可能に連結する第２リンク機構であって、前記第２リンク機構のピボットが、前記カバーが下降したときに当該第２リンク機構が前記第１リンク機構とともに前記プラーを前記遠位端部に向かって押し、前記カバーが持ち上げられたときに当該第２リンク機構が前記第１リンク機構とともにプラーを前記近位端部に向かって引くように配置された第２リンク機構をさらに備えることを特徴とする請求項３または４に記載の拡張可能なポンプ包囲アセンブリ。
【請求項６】
前記第１ベース部分または前記第２ベース部分に設けられ、前記第１ベース部分および前記第２ベース部分を前記コンパクト位置と前記拡張位置との間でスライド移動可能に案内するベースガイドシステムを備えることを特徴とする請求項３から５のいずれかに記載の拡張可能なポンプ包囲アセンブリ。
【請求項７】
前記ベースガイドシステムは、前記第１ベース部分上または前記第２ベース部分上のベースガイドレールと、前記第２ベース部分上または前記第１ベース部分上の対応する相補的なベースガイドトラックと、備え、前記ベースガイドレールは対応する相補的な前記ベースガイドトラックとスライド可能に嵌合することを特徴とする請求項６に記載の拡張可能なポンプ包囲アセンブリ。
【請求項８】
前記第１ベース部分上または前記第２ベース部分上に、前記第１ベース部分および前記第２ベース部分が前記拡張位置にあるときに前記第１ベース部分および前記第２ベース部分が分離するのを防止するためのベースストップをさらに備えることを特徴とする請求項３から７のいずれかに記載の拡張可能なポンプ包囲アセンブリ。
【請求項９】
前記第１カバー部分または前記第２カバー部分に設けられ、前記第１カバー部分および前記第２カバー部分を前記コンパクト位置と前記拡張位置との間でスライド移動可能に案内するカバーガイドシステムを備えることを特徴とする請求項３から８のいずれかに記載の拡張可能なポンプ包囲アセンブリ。
【請求項１０】
前記カバーガイドシステムは、第１カバー部分上または第２カバー部分上のカバーガイドレールと、第２カバー部分上まはた第１カバー部分上の対応する相補的なカバーガイドトラックと、を含み、前記カバーガイドレールは対応する相補的な前記カバーガイドトラックとスライド可能に嵌合することを特徴とする請求項９に記載の拡張可能なポンプ包囲アセンブリ。
【請求項１１】
前記第１カバー部分または前記第２カバー部分には、前記第１カバー部分および前記第２カバー部分が拡張位置にあるときに前記第１カバー部分および前記第２カバー部分が分離するのを防止するためのカバーストップが設けられていることを特徴とする請求項３から１０のいずれかに記載の拡張可能なポンプ包囲アセンブリ。
【請求項１２】
前記チャンバボディをセンタリングおよび／または保持するためのカラーをさらに備え、前記カラーは前記プッシャーの遠位に配置されることを特徴とする請求項３から１１のいずれかに記載の拡張可能なポンプ包囲アセンブリ。
【請求項１３】
規定位置で前記カラーの遠位側への移動を防止するためのカラーストップをさらに備えることを特徴とする請求項１２に記載の拡張可能なポンプ包囲アセンブリ。
【請求項１４】
前記カラーストップは、前記第２ベース部分の前記遠位端部に取り付けられていることを特徴とする請求項１３に記載の拡張可能なポンプ包囲アセンブリ。
【請求項１５】
前記プラー、前記プッシャー、および／または前記カラーをスライド可能に取り付けるための１つ以上のトラックシステムを前記ベース上に備えることを特徴とする請求項１２から１４のいずれかに記載の拡張可能なポンプ包囲アセンブリ。
【請求項１６】
前記トラックシステムは、前記第２ベース部分上に存在することを特徴とする請求項１５に記載の拡張可能なポンプ包囲アセンブリ。
【請求項１７】
前記プラーは、前記プラーを前記１つ以上のトラックシステムにスライド可能に取り付けるプラーガイド要素を備えることを特徴とする請求項１５または１６に記載の拡張可能なポンプ包囲アセンブリ。
【請求項１８】
前記プッシャーは、前記プッシャーを前記１つ以上のトラックシステムにスライド可能に取り付けるプッシャーガイド要素を備えることを特徴とする請求項１５または１６に記載の拡張可能なポンプ包囲アセンブリ。
【請求項１９】
前記カラーは、前記カラーを前記１つ以上のトラックシステムにスライド可能に取り付けるカラーガイド要素を備えることを特徴とする請求項１５または１６に記載の拡張可能なポンプ包囲アセンブリ。
【請求項２０】
前記スプリングは、テープスプリングを含むことを特徴とする請求項３から１９のいずれかに記載の拡張可能なポンプ包囲アセンブリ。
【請求項２１】
前記プラーが前記遠位端部に向かってスライド可能に動かされたときに、前記ベースに着座した前記チャンバボディの前記プランジャーの前記頭部に前記テープスプリングが実質的に一定の力を生成することを特徴とする請求項２０に記載の拡張可能なポンプ包囲アセンブリ。
【請求項２２】
前記カバーの開放動作を減衰させるダンパーをさらに備えることを特徴とする請求項２１に記載の拡張可能なポンプ包囲アセンブリ。
【請求項２３】
前記カバーを前記ベース上の閉鎖位置に保持するラッチアセンブリまたはロックアセンブリをさらに備えることを特徴とする請求項３から２２のいずれかに記載の拡張可能なポンプ包囲アセンブリ。
【請求項２４】
前記チャンバボディの前記吐出口を保持またはロックするために、前記第１ベース部分の前記遠位端部にルアーロケータをさらに備えることを特徴とする請求項３から２３のいずれかに記載の拡張可能なポンプ包囲アセンブリ。
【請求項２５】
前記ベースに着座している非適合のチャンバボディーを拒絶するためのリジェクタをさらに含むことを特徴とする請求項３から２４のいずれかに記載の拡張可能なポンプ包囲アセンブリ。
【請求項２６】
前記カバーは、前記カバーが閉じられたときに前記チャンバボディを見るためのプログレスウィンドウを含むことを特徴とする請求項３から２５のいずれかに記載の拡張可能なポンプ包囲アセンブリ。
【発明の詳細な説明】
【技術分野】
【０００１】
（関連出願の相互参照）
この出願は、米国特許法１１９条（ｅ）に基づき、２０１４年３月２８日に出願された米国仮特許出願第６１／９７１，９４２号に対する利益を主張し、参照によりその全体が本明細書に援用される。
【背景技術】
【０００２】
原発性の体液性免疫不全の典型的な治療は、免疫グロブリン製剤（ＩＶＩＧともいう）の静脈内投与である。ＩＶＩＧは、典型的には、患者に定期的に通院することを要求する病院または診療所で、訓練された人材によって投与される。したがって、治療を受ける患者に、費用だけでなく、精神的な負担も増大する。また、静脈への大量の投与は、多くの患者に、インフルエンザ様症状を引き起こす。皮下投与は、自宅にいながらにして毎週または各週で免疫グロブリン製剤を投与でき、より一定のＩｇＧ血中レベルという結果をもたらし、ボーラス静脈内投与に関連するインフルエンザ様症状の発生を低減できるので、よりよい選択肢である。
【０００３】
皮下投与された患者の利点にもかかわらず、自宅管理に対する障壁の存在のため、多くの患者は、まだ静脈内療法を受けている。これらは、輸液装置の高コスト、不十分な安全性、および、輸液システムの利便性の欠如を含む。多くの輸液ポンプは、大きくて携帯性が制限され、コンセントやバッテリーなどの電源を必要とするため使用する場所と時間を制限され、必要とするときに手に入れるのが高いまたは難しい場合あるカスタムメイドの注射器を使用し、保険でカバーされない場合がある。したがって、軽量で、安価で、安全で、かつ、ポータブルであり、従来の注射器で使用できる、改良された輸液ポンプが必要である。
【発明の概要】
【０００４】
一態様では、ポータブルなポンプアセンブリが提供される。様々な実施の形態では、ポンプアセンブリは、近位端部および遠位端部を有する拡張可能なベースであって、第１ベース部分および第２ベース部分を備え第１ベース部分は、第１ベース部分および第２ベース部分がコンパクト位置と拡張位置との間を互いに対してスライド移動可能に第２ベース部分とスライド係合し、拡張位置にある当該ベースは、プランジャを有するチャンバボディであって、ボアおよび吐出口を画定し、プランジャがスライド可能にボア内に配置されるチャンバボディが着座するよう適合されるベースと、ベースにスライド係合するプッシャーであって、プランジャの頭部と接触するよう寸法決めされるプッシャーと、ベースにスライド係合するプラーと、第１端部と第２端部を含むスプリングであって、第１端部はプラーに接続され、第２端部はプッシャーに接続されるスプリングと、を備える。プランジャを有するチャンバボディがベースに着座したときにプラーを遠位にスライド移動させると、プッシャがプランジャの頭部に接触して力を及ぼし、それによってチャンバ内の内容物、特に流体内容物の排出を引き起こす。 典型的な実施の形態では、チャンバボディは注射器バレルを備え、プランジャは注射器プランジャである。
【０００５】
いくつかの実施の形態では、ポンプアセンブリは、ベース用のカバーを含む。いくつかの実施の形態では、カバーはベースに枢動可能に接続され、ベースに対するカバーの昇降運動はベース上のプラーの動きに連結されて、チャンバーから流体をポンピングするための力をプランジャの頭部に発生させる。
【０００６】
いくつかの実施の形態では、ポンプアセンブリは、遠位端部および近位端部を有するハウジングであって、第１ベース部分および第２ベース部分を備え、第１ベース部分は、第１ベース部分および第２ベース部分がコンパクト位置と拡張位置との間を互いに対してスライド移動可能に第２ベース部分とスライド係合し、拡張位置にある当該ベースは、プランジャを有するチャンバボディであって、ボアおよび吐出口を画定し、プランジャがスライド可能にボア内に配置されるチャンバボディが着座するよう適合されるベースと、第１カバー部分および第２カバー部分を備える拡張可能なカバーであって、第１カバー部分は第２カバー部分とスライド係合し、当該カバーは、当該カバーが開閉可能な位置で、かつ、当該カバーが閉じ位置にあるとき、第２ベース部分を第１ベース部分に対してスライド移動させることにより第２カバー部分を第１カバー部分に対して移動させるようベースに枢動可能に連結されたカバーと、を備えるハウジングと、ベースとスライド係合するプッシャーであって、プランジャの頭部と接触するよう寸法決めされるプッシャーと、ベースとスライド係合するプラーと、第１端部と第２端部を含むスプリングであって、第１端部はプラーに接続され、第２端部はプッシャーに接続されるスプリングと、カバーおよびプラーに枢動可能に連結された第１リンク機構であって、当該第１リンク機構のピボットが、カバーが下降したときにプラーを遠位端部に向かって移動させ、カバーが持ち上げられたときにプラーを近位端部に向かって移動させるよう配置された第１リンク機構と、を備える。プランジャを有するチャンバボディがベース内に着座しているときにカバーを下げることによってプラーを遠位端部の方に動かすと、プッシャーがプランジャーのヘッドに接触して力を加える。
【０００７】
様々な実施の形態では、特に、チャンバボディに配置されたプランジャからの抵抗があり、プラーをさらに遠位に移動させるためにカバーのてこの作用が使用される場合、第１リンク機構は、カバーの動きをプラーの動きに変換させる剛性を有する。ある実施形態では、硬質であり得る第２リンク機構が存在し、第１リンク機構とともに機能して、カバーの動きをプラーの動きに効率的に連結する。
【０００８】
ある実施形態では、コンパクト位置と拡張位置との間でスライド可能に機構を提供するために、第１ベース部分または第２ベース部分に設けられたベースガイドシステムは、第１ベース部分および第２ベース部分をコンパクト位置と圧縮位置との間でスライド移動可能に案内ために使用される。第１ベース部分または第２ベース部分のベースストップは、第１ベース部分および第２ベース部分が拡張位置にあるときに第１ベース部分および第２ベース部分が分離することを防止する。
【０００９】
ある実施の形態では、第１カバー部分または第２カバー部分に配置されたカバーガイドシステムは、第１カバー部分および第２カバー部分をコンパクト位置と拡張位置との間でスライド移動可能に案内するために使用される。第１カバー部分または第２カバー部分のカバーストップは、第１カバー部分および第２カバー部分が拡張位置にあるときに、第１カバー部分および第２カバー部分が分離することを防止する。
【００１０】
いくつかの実施の形態では、ポンプアセンブリは、ハウジング内でチャンバボディをセンタリングおよび／または保持するためにベースにスライド可能に係合されるカラーをさらに備える。いくつかの実施の形態では、規定された位置で遠位方向へのカラーの移動を防止するためのカラーストップがポンプアセンブリに使用される。
【００１１】
プラー、プッシャー、および／またはカラーをベースにスライド可能に取り付けるために、ポンプアセンブリは、プラー、プッシャー、およびカラーがスライド可能に取り付けられる１つ以上のトラックシステムをベース上に備える。ある実施の形態では、トラックシステムは、第２ベース部分上に存在する。プラー、プッシャー、およびカラーのそれぞれは、１つ以上のトラックシステムにスライド可能に取り付けられる対応するプラーガイド要素、プッシャーガイド要素、およびカラーガイド要素をそれぞれ有することができる。
【００１２】
ある実施の形態では、プラーおよびプッシャーに接続されたスプリングは、テープスプリング、特にネゲータテープスプリングを備える。ネゲータテープスプリングは、例えばカバーをプラーに枢動可能に連結するリンク機構を用いてカバーを下げることによって遠位方向にプラーがスライド移動したときに、プランジャの頭部に実質的に一定の力を発生させる。
【００１３】
様々な実施の形態において、カバーは、ヒンジによってベースに枢動可能に接続される。ポンプアセンブリは、カバーの開放運動を減衰させるためのダンパーをさらに備えることができる。他の実施の形態では、ポンプアセンブリはまた、カバーをベース上の閉鎖位置に保持するラッチアセンブリまたはロックアセンブリ、チャンバボディの吐出口をハウジングに保持またはロックするための第１ベース部分の遠位端部上のルアーロケータ、非適合のチャンバボディがベースに着座するのを拒絶するためのリジェクタ、カバーが閉じられているときにチャンバボディを見るためのプログレスウィンドウの１つ以上を含む。
【００１４】
いくつかの実施の形態では、ポンプアセンブリは、治療流体を投与するための注入システムにおいて注射器と共に使用される。様々な実施の形態において、注入システムまたは関連キットは、本明細書に記載のポンプアセンブリを含むことができる。種々の実施の形態において、注入システムまたは関連するキットは、ポンプアセンブリに加えて、ポンプアセンブリに着座するように寸法決めされたシリンジ、注射器を注入システムの構成要素に接続するためのルアーコネクタまたはディスクルアーコネクタ、チューブセット、特に注射針を注射器に接続するための注入チューブセット、 投与のための治療流体の流れを制御するための流量コントローラと、治療液を患者の体内に投与するための注射針セットの１つ以上を含む。
【図面の簡単な説明】
【００１５】
【図１】開いた拡張状態にある本開示のポンプアセンブリの一実施形態の斜視図である。
【図２】閉じた拡張状態にある図１のポンプアセンブリの斜視図である。
【図３】閉じたコンパクト状態にあり、第１カバー部分および第２カバー部分がスライド係合し、かつ、第１ベース部分および第２ベース部分がスライド係合している図１のポンプアセンブリの端面図である。
【図４】ベースの内部の遠位端部を示す開いた拡張状態にある図１のポンプアセンブリの斜視図である。
【図５】スプリングスプールを有するプッシャーアセンブリの内部とスプリングのプラーアセンブリへの接続とを示す図１のポンプアセンブリの斜視断面図である。
【図６】図１のポンプアセンブリの閉じたコンパクト状態の斜視図である。
【図７】図１のポンプアセンブリの閉じたコンパクト状態の上面図である。
【図８】図１のポンプアセンブリの閉じたコンパクト状態の側面図である。
【図９】注射器がポンプアセンブリのベースに着座した状態の開いた拡張状態にある図１のポンプアセンブリの斜視図である。
【図１０】注射器がポンプアセンブリのベース内に配置された状態の閉じた拡張位置にある図１のポンプアセンブリの斜視図である。
【図１１】注射器がポンプアセンブリのベース内に配置された状態の閉じた拡張状態にある図１のポンプアセンブリの側面である。
【図１２】注射器がポンプのベース内に配置された閉じた拡張状態にある図１のポンプアセンブリの上面図である。
【図１３】注射器がポンプアセンブリのベース内に配置された状態の閉じた拡張状態にある図１のポンプアセンブリの遠位端部を示す図である。
【図１４】開いた拡張状態にある本開示のポンプアセンブリの別の実施形態の斜視図である。
【図１５】開いた拡張状態にある図１４のポンプアセンブリの上面図である。
【図１６】開いた拡張状態にある図１４のポンプアセンブリの側面図である。
【図１７】開いた拡張状態にある図１４のポンプアセンブリの底面斜視図である。
【図１８】閉じたコンパクト状態にある図１４のポンプアセンブリを遠位端部から見た断面図である。
【図１９】閉じたコンパクト状態にある図１４のポンプアセンブリを遠位端部から見た断面図であって、プッシャーアセンブリも示す断面図である。
【図２０】図１４のポンプアセンブリのカラートラックシステムにスライド可能に係合されたカラーガイド要素を有するカラーの拡大斜視図である。
【図２１】図１４のポンプアセンブリのスプールの周りにテープスプリングが巻かれた、プラーおよびスプリングハウジングを有するプラーアセンブリの斜視断面図である。
【図２２】ベースの内部の遠位端部を示す開いた拡張状態にある図１４のポンプアセンブリの斜視図である。
【図２３】閉じた拡張状態にある図１４のポンプアセンブリを示す斜視図である。
【図２４】閉じたコンパクト状態にある図１４のポンプアセンブリの斜視図である。
【図２５】図１４のポンプアセンブリの遠位端部を示す図である。
【発明を実施するための形態】
【００１６】
一態様では、例えば治療剤などの液体を分注するためのポンプアセンブリが提供される。以下の説明において、用語「長手方向」は、近位−遠位軸を指す。ベースに取り付けられたカバーのように、ベースから枢動し得る要素の近位および遠位の用語に関して、近位および遠位という用語は、本明細書に記載のポンプアセンブリの閉鎖状態を参照にして作られる。
【００１７】
ある実施の形態では、ポンプアセンブリは、遠位端部および近位端部を有するハウジングを備え、ハウジングは、ベースおよびカバーを備え、カバーは、カバーがベースから昇降可能なようにベースの近位端部に側に枢動可能に接続され、ベースは、プランジャを有するチャンバボディを受け入れるようになっている。チャンバボディは、プランジャを受け入れるための吐出口およびボアまたは内腔を画定し、プランジャは、プランジャを押すことによって吐出口を通ってチャンバの内容物を押し出すように、ボアまたは内腔にスライド可能に配置される。チャンバボディは、プランジャを受け入れるためにボアまたは内腔の一端に開口部を有し、この開口部は、末端部とも呼ばれる面またはフランジを有することができ、面またはフランジは、横方向にチャンバボディから離れるように延在し、プランジャを押すときにチャンバボディを保持するように構成されている。
【００１８】
プランジャに力を加えるために、ポンプアセンブリは、ベースにスライド係合され、プランジャの頭部に接触するよう寸法決めされたプッシャーと、ベースにスライド係合され、カバーを上昇させることによってベース内において近位方向に移動され、カバーを下降させることによってベース内において近位方向に移動されるようカバーに連結されたプラーと、スプリングであって、その第１部分においてプラーに接続され、その第２部分においてプッシャーに接続され、カバーを下降させることによってプラーを遠位に移動させることにより、接続された当該スプリングを介してプッシャーを遠位にスライド移動させ、プランジャを有するチャンバボディがベースに着座したときにプランジャの頭部に接触して力を加えさせるスプリングと、備える。
【００１９】
ポンプアセンブリのある実施の形態では、プラーに連結されたカバーは、特にプッシャーがプランジャーの頭部に係合しているときに、プラーを遠位に移動させ、スプリングに張力を発生させるための力を発生させるレバーとして働く。ある実施の形態では、ネゲータ（ｎｅｇａｔｏｒ）スプリングの使用は、プッシャーに実質的に一定の力を発生させて、治療流体の安全な投与のための定圧ポンプを提供することを可能にする。定圧ポンプは、安全で制限された一定の圧力を生成し、その結果、患者の安全性が向上する。特に、注入システムに使用される定圧ポンプは、流量を開始および維持することができるが、患者内で制限が生じた場合、結果として生じるシステム内の背圧は、自動かつ即時に流量を減少させる結果となる。なぜなら、定圧ポンプを備えた注入システムは背圧および流量に基づいて平衡状態で動作するためである。
【００２０】
いくつかの実施の形態では、ポンプアセンブリは、近位端部および遠位端部を有する拡張可能なベースであって、第１ベース部分および第２ベース部分を備え、第１ベース部分は、第１ベース部分および第２ベース部分がコンパクト位置と拡張位置との間を互いに対してスライド移動可能に第２ベース部分とスライド係合し、拡張位置にある当該ベースは、プランジャを有するチャンバボディであって、ボアおよび吐出口を画定し、プランジャがスライド可能にボア内に配置されるチャンバボディが着座するよう適合されるベースと、ベースにスライド係合するプッシャーであって、プランジャの頭部と接触するよう寸法決めされるプッシャーと、ベースにスライド係合するプラーと第１端部と第２端部を含むスプリングであって、第１端部はプラーに接続され、第２端部はプッシャーに接続されるスプリングと、を備え、プランジャを有するチャンバボディがハウジングに着座したときにプラーを遠位側にスライド移動させることにより、プッシャーがプランジャの頭部に接触して力を加える。ある実施の形態において、プラーはスプリングの第１端部に接続され、プラーはバネの第2の部分に接続される。
【００２１】
いくつかの実施の形態では、ポンプアセンブリは、注射器ポンプアセンブリであり、チャンバボディは注射器バレルを備え、プランジャは注射器プランジャであり、拡張位置にあるベースは、拡張された、例えば完全に拡張された注射器プランジャを有する注射器を着座させるよう適合される。
【００２２】
ある実施の形態では、ポンプアセンブリの様々な構成によって、プラーアセンブリを遠位に移動させることができる。例えば、プラーを遠位方向に手動で引っ張ることができ、引っ掛けを使用してプラーをその遠位位置に保持することができる。引っ掛け、例えば、プラーを遠位の位置に保持するフックであってもよい。別の実施の形態では、ポンプアセンブリ内に構成されたラチェット（ｒａｔｃｈｅｔ）を用いてプラーを遠位に移動させることができる。ポンプは、カバーを備えていてもいなくてもよい。
【００２３】
上述したように、好ましい実施の形態では、ベースにスライド可能に係合されたプラーの動きは、カバーを下降させるとプラーをベース内で遠位に移動させ、カバーを上昇させるとプラーをベース内で近位に移動させるようにベースに取り付けられたカバーに連動する。コンパクト化された形態と拡張された形態との間で調節可能なポンプアセンブリを提供するために、カバーは、拡張可能なベースがコンパクト化された位置と拡張された位置との間でスライド移動するときにベースを覆うように寸法決めされる拡張可能なカバーを含む。
【００２４】
ある実施の形態では、ポンプアセンブリは、遠位端部および近位端部を有するハウジングであって、（ａ）第１ベース部分および第２ベース部分を備え、第１ベース部分は、第１ベース部分および第２ベース部分がコンパクト位置と拡張位置との間を互いに対してスライド移動可能に第２ベース部分とスライド係合し、拡張位置にある当該ベースは、プランジャを有するチャンバボディであって、ボアおよび吐出口を画定し、プランジャがスライド可能にボア内に配置されるチャンバボディが着座するよう適合されるベースと、（ｂ）第１カバー部分および第２カバー部分を備える拡張可能なカバーであって、第１カバー部分は第２カバー部分とスライド係合し、当該カバーは、当該カバーが開閉可能な位置で、かつ、当該カバーが閉じ位置にあるとき、第２ベース部分を第１ベース部分に対してスライド移動させることにより第２カバー部分を第１カバー部分に対して移動させるようベースに枢動可能に連結されたカバーと、を備えるハウジングと、ベースとスライド係合するプッシャーであって、プランジャの頭部と接触するよう寸法決めされるプッシャーと、ベースとスライド係合するプラーと、第１端部と第２端部を含むスプリングであって、第１端部はプラーに接続され、第２端部はプッシャーに接続されるスプリングと、カバーおよびプラーに枢動可能に連結された第１リンク機構であって、当該第１リンク機構のピボットが、カバーが下降したときにプラーを遠位端部に向かって移動させ、カバーが持ち上げられたときにプラーを近位端部に向かって移動させるよう配置された第１リンク機構と、備え、プランジャを有するチャンバボディがハウジング内に着座しているときにカバーを下降させることによってプラーを遠位端部に向かって移動させることによって、プッシャーがプランジャの頭部に接触して力を加える。
【００２５】
いくつかの実施の形態では、カバーは、閉じ位置にあるベースを受けるための周辺フランジまたはリップを有することができる。ある実施の形態では、第１カバー部分は、ベースの第１ベース部分を受け入れるように適合された周辺フランジまたはリップを有する。いくつかの実施の形態では、第２カバー部分は、ベースの第２ベース部分を受け入れるように適合された周辺フランジまたはリップを有する。
【００２６】
ある実施の形態では、カバーをプラーに枢動可能に連結するために、第１リンク機構は、第１ピボットポイントヒンジによって第１リンク機構の第１端部においてカバーに枢動可能に接続され、第２ピボットポイントヒンジによって第１リンク機構の第２端部においてプラーに枢動可能に接続され、第１リンク機構は、カバーの動きをプラーの動きに効率的に変換させるのに十分に剛性を有する。ある実施の形態では、第１リンク機構は、ハウジング上でプッシャーに向かってある角度で曲げられる。特に、第１リンク機構は、規定の角度で曲げられて曲りリンク機構を形成する。特定の実施の形態では、曲り角は鈍角である。いくつかの実施の形態では、曲りリンク機構の曲り部のポイントは、リンク機構の中心からオフセットしてプラーの近位にあり、第１部分が第２部分よりも短い少なくとも２つの部分を有する曲りリンク機構を提供する。より短い部分である第１部分は、枢動可能にプラーに取り付けられ、より長い部分である第２部分は、枢動可能にカバーに取り付けられる。ある実施の形態では、リンク機構へのカバーの取付点（位置）は、カバーが閉じ位置にあるときにリンク機構がハウジング内にあるような位置である。
【００２７】
いくつかの実施の形態では、注射器ポンプアセンブリは、カバーをプラーに枢動可能に連結する第２リンク機構であって、当該第２リンク機構のピボットが、第２リンク機構が、第１リンク機構とともに、カバーが下降するときにプラーを遠位端部に向けて移動させ、第２リンク機構が、第１リンク機構とともに、カバーが持ち上げられたときにプラーを近位端部に向けて移動させるように配置された第２リンク機構をさらに備える。第２リンク機構は、第３ピボットポイントヒンジによって、第２リンク機構の第１端部でカバーに枢動可能に接続され、第４のピボットポイントヒンジによって、第２リンク機構の第２端部でプラーに枢動可能に接続される。第２リンク機構は、カバーの移動をプラーの移動に効率的に変換させるのに十分な剛性を有する。ある実施の形態では、第２リンク機構は、ハウジング上のプッシャーに向かってある角度で曲げられる。特に、第２リンク機構は、規定された角度で曲げられて曲りリンク機構を形成する。いくつかの実施の形態では、第２リンク機構の曲り角は、鈍角である。いくつかの実施の形態では、曲りリンク機構の曲り部のポイントは、第２リンク機構の中心からオフセットしてプラーの近位にあり、第１部分が第２部分よりも短い少なくとも２つの部分を有する曲りリンク機構を提供する。より短い部分である第１部分は、枢動可能にプラーに取り付けられ、より長い部分である第２部分は、枢動可能にカバーに取り付けられる。ある実施の形態では、第２リンク機構へのカバーの取付点は、カバーが閉じ位置にあるときにリンク機構がハウジング内にあるような位置である。
【００２８】
様々な実施の形態では、プラーの移動と連動される第１リンク機構および第２リンク機構の移動を維持するために、第１リンク機構の曲り角は、第２リンク機構の曲り角と実質的に同一である。加えて、第１リンク機構および第２リンク機構は実質的に同じ長さであり、特に、曲り部のポイントは、第１リンク機構の第１部分が第２リンク機構の第１部分と実質的に同じ長さで、第１リンク機構の第２部分が第２リンク機構の第２部分と実質的に同じ長さとなるように、第１リンク機構と第２リンク機構で実質的に同一である。
【００２９】
カバーが上昇または下降するときに第１リンク機構および第２リンク機構を平行移動させるために、カバーに第１リンク機構を枢着させるカバー上の位置または配置と、第２リンク機構を枢着させるカバー上の位置は、近位端から実質的に等しい距離にある。さらに、第１リンク機構に最も近いカバーの側縁からの第１リンク機構を枢着させるカバー上の位置と、第２リンク機構に最も近いカバーの側縁から第２リンク機構を枢着させるカバー上の位置もまた、実質的に同じ距離である。
【００３０】
いくつかの実施の形態では、第１リンク機構および第２リンク機構は、長手方向に直線状であってもよく、あるいは、第１リンク機構および第２リンク機構は、例えば、カバーに対する第１リンク機構および第２リンク機構の枢着点の離間した距離と、プラーに対する第１リンク機構および第２リンク機構の枢着点の離間した距離との差に適応するように、長手方向軸に沿って曲がっていてもよい。ある実施の形態では、プラーに対する第１リンク機構および第２リンク機構の枢着点の離間した距離がカバーに対する第１リンク機構および第２リンク機構の枢着点の離間した距離に比べてより短くなるように、第１リンク機構は、内側にオフセットされた曲り部を有し、第２リンク機構は、対応する、内側にオフセットされた曲り部を有する。いくつかの実施の形態では、プラーに対する第１リンク機構および第２リンク機構の枢着点の離間した距離がカバーに対する第１リンク機構および第２リンク機構の枢着点の離間した距離に対して、カバーに対する第１リンク機構および第２リンク機構の枢着点の離間した距離がより短くなるように、第１リンク機構は、外側にオフセットされた曲り部を有し、第２リンク機構は、対応する、外側にオフセットされた曲り部を有する。
【００３１】
様々な実施の形態では、ポンプアセンブリは、拡張可能なベースを有する。ベースは、第１ベース部分および第２ベース部分を備え、第１ベース部分および第２ベース部分はスライド係合状態にある。ある実施の形態では、第１ベース部分は、一方の壁は第１ベース部分の一方の側縁にあり、他方の壁は第１ベース部分の他方の側縁にある第１の一対の対向するベース側壁と、第１ベース部分の遠位壁と、 遠位壁の反対側の開口端と、を含む。様々な実施の形態では、第１ベース部分の遠位壁は、チャンバボディの吐出口のための、ある実施の形態では本明細書でさらに説明するようにルアーロケータのための開口を提供する凹部、例えばオープンカラーのような部分的に円形の凹部を有する。ある実施の形態では、第２ベース部分は、一方の壁は第２ベース部分の一方の側縁にあり、他方の壁は第２ベース部分の他方の側縁にある第２の一対の対向するベース側壁と、以下にさらに説明するようにある実施の形態ではヒンジアセンブリを含む第２ベース部分の近位壁と、近位壁の反対側の開口端と、を含む。第１ベース部分の開口端は、第１ベース部分と第２ベース部分とがスライド係合しているときに、第２ベース部分の開口端に面する。
【００３２】
いくつかの実施の形態では、第１ベース部分と第２ベース部分とは、互いに対して伸縮関係（ｔｅｌｅｓｃｏｐｉｎｇ  ｒｅｌａｔｉｏｎ）にある。限定ではなく一例として、第２ベース部分は、第１ベース部分および第２ベース部分が互いに対してスライド移動可能なように、第１ベース部分に嵌合するように適合される。
【００３３】
種々の実施の形態において、ベースガイドシステムは、第１ベース部分上または第２ベース部分上に配置され、第１ベース部分および第２ベース部分を、コンパクト位置と拡張位置との間で互いに対してスライド移動可能に案内する。様々な実施の形態において、ベースガイドシステムは、第１ベース部分および第２ベース部分がスライド係合するときに、第１ベース部分が第２ベース部分から垂直分離するのを防止する。いくつかの実施の形態では、ベースガイドシステムはまた、例えば、注射器などのプランジャを有するチャンバボディがベースに着座し、プランジャの頭部に力を加えるためにカバーが閉じられ又は下げられたときに、スライド係合された第１ベース部分および第２ベース部分にかかる垂直応力に耐えるのに十分な剛性を提供する。
【００３４】
様々なタイプのベースガイドシステムが、ポンプアセンブリのために実施され得る。いくつかの実施の形態では、ベースガイドシステムは、第１ベース部分または第２ベース部分に長手方向に配置されたベースガイドバーまたはアームと、第１ベース部分または第２ベース部分の対応する相補的なベースガイドスロットと、を備え、ベースガイドバーまたはアームは、第２ベース部分または第１ベース部分の対応する相補的なベースガイドスロットにスライド可能に嵌合する。いくつかの実施の形態では、ベースガイドバーまたはアームは、細長いプレートまたはステー（ｓｔａｙ）であり、相補的なベースガイドスロットは、細長いプレートをスライド可能に係合するように寸法決めされた細長い長方形の凹部である。他の実施の形態では、ガイドバーまたはアームは、円筒形ロッドのようなロッドであり、相補的なベースガイドスロットは、ロッドをスライド可能に係合するように寸法決めされた穴または内腔である。
【００３５】
いくつかの実施の形態では、ベースガイドシステムは、第１ベース部分および第２ベース部分に長手方向に配置されたベースガイドレールと、第２ベース部分または第１ベース部分の相補的なベースガイドトラックとを備え、 ベースガイドレールは、第２ベース部分または第１ベース部分の対応する相補的なベースガイドトラックにスライド可能に嵌合する。
【００３６】
いくつかの実施の形態では、ベースガイドシステムは、第１ベース部分および第２ベース部分に長手方向に配置されたＴ字形状の断面を有するベースガイドレールと、第２ベース部分または第１ベース部分にＴ字形状の断面空間を有するベース線形溝またはスロットを含む対応する相補的なベースガイドトラックとを備え、 ベースガイドレールは、第２ベース部分または第１ベース部分のベース線形溝またはスロットを含む対応するベースガイドトラックにスライド可能に嵌合する。いくつかの実施の形態では、ベースガイドシステムは、２つ以上のベースガイドレールであって、それぞれ第１ベース部分または第２ベース部分にＴ字形状の断面を有する２つ以上のベースガイドレールと、２つ以上のベース線形溝またはスロットであって、それぞれ第２ベース部分または第１ベース部分にＴ字形状の断面空間を有する２つ以上のベース線形溝またはスロットを含む対応する相補的なベースガイドトラックと、を備え、ベースガイドレールは対応するベースガイドトラックにスライド可能に嵌合する。
【００３７】
いくつかの実施の形態では、ベースガイドシステムは、Ｌ字形状の断面を有するベースガイドレールと、第２ベース部分または第１ベース部分にＬ字形状の断面空間を有する対応するベース線形溝またはスロットと、を備え、ベースガイドレールは、第２ベース部分または第１ベース部分の対応する相補的なベース線形溝またはスロットにスライド可能に嵌合する。いくつかの実施の形態では、ベースガイドシステムは、第１ベース部分または第２ベース部分にＬ字形状の断面を有する２つ以上のベースガイドレールと、２つ以上の線形溝またはスロットであって、それぞれ第２ベース部分または第１ベース部分にＬ字形状の断面空間を有する２つ以上の線形溝またはスロットを含む対応する相補的なベースガイドトラックと、を備え、ベースガイドレールは、対応するベースガイドトラックにスライド可能に嵌合する。
【００３８】
いくつかの実施の形態では、ベースガイドシステムは、第１ベース部分の第１の一対の対向する側壁の各側壁または第２ベース部分の第２の一対の対向する側壁の各側壁の長さに沿ったベースリニアレールと、線形溝またはチャネルを含む対応するベースリニアトラックと、を備え、ベースリニアレールは、第２ベース部分または第１ベース部分の対応する相補的な線形溝またはチャネルにスライド可能に嵌合する。ある実施の形態では、ベースガイドシステムは、第１ベース部分の第１の一対の対向する側壁の各側壁または第２ベース部分の第２の一対の対向する側壁の各側壁の長さに沿った２つ以上のリニアレールと、２つ以上の線形溝を含む対応する相補的なベースリニアトラックと、を備え、ベースリニアレールは、対応する相補的なベースガイドトラックにスライド可能に嵌合する。
【００３９】
いくつかの実施の形態では、ベースガイドシステムは、第１ベース部分の第１の一対の対向する側壁の各側壁または第２ベース部分の第２の一対の対向する側壁の各側壁の長さに沿ったベースリムと、第２ベース部分または第１ベース部分のリムに相補的な対応する溝またはチャネルと、を備え、ベースリムは、第２ベース部分または第１ベース部分の対応する相補的な溝またはチャネルにスライド可能に嵌合する。
【００４０】
いくつかの実施の形態では、ベースガイドシステムは、第１ベース部分の第１の一対の対向する側壁の各側壁または第２ベース部分の第２の一対の対向する側壁の各側壁の長さに沿ったベースエッジフランジを備え、ベースエッジフランジは、第２ベース部分の第２の一対の対向する側壁のうちの対応する側壁または第１ベース部分の第１の一対の対向する側壁のうちの対応する側壁にスライド可能に嵌合する。いくつかの実施の形態では、ベースエッジフランジはＬ字形状であり、第２ベース部分の第２の一対の対向する側壁のうちの対応する側壁または第１ベース部分の第１の一対の対向する側壁のうちの対応する側壁とスライド可能に嵌合する。ある実施の形態では、ベースエッジフランジは、Ｃ、Ｊ、またはＵ字形状のカールを形成するように下方に曲がり、第２ベース部分の第２の一対の対向する側壁のうちの対応する側壁または第１ベース部分の第１の一対の対向する側壁のうちの対応する側壁とスライド可能に嵌合する。
【００４１】
他の実施の形態では、ベースガイドシステムは、第１ベース部分または第２ベース部分に一対の二重側壁を備え、各二重側壁は、その間に空間を画定し、第２ベース部分の第２の一対の側壁の各側壁または第１ベース部分の第１の一対の側壁の各側壁は、二重壁の間の空間を介して対応する二重壁にスライド可能に係合する。
【００４２】
様々な実施の形態では、ベースは単一のベースガイドシステムを有し、他の実施の形態では少なくとも2つ以上のベースガイドシステムを有する。いくつかの実施の形態では、ベースは、第１ガイドシステムおよび第２のガイドシステムを有する。いくつかの実施の形態では、第１ベースガイドシステムは、第２ベースガイドシステムと同じ形態のガイドシステムである。いくつかの実施の形態では、第１ベースガイドシステムは、第２ガイドシステムとは異なる形態のガイドシステムである。
【００４３】
コンパクト位置から拡張位置へとスライド移動するときに第１ベース部分と第２ベース部分が分離するのを防止するために、ベースはベースストップをさらに備える。ある実施の形態では、ベースストップは、第１ベース部分および第２ベース部分がコンパクト位置から拡張位置にスライド移動したときに第１ベース部分および第２ベース部分が分離するのを防止するために、第１ベース部分または第２ベース部分に存在する。この目的のために、様々なタイプのストップを使用することができる。いくつかの実施の形態では、ベースストップは、第１ベース部分または第２ベース部分の戻り止め要素と、第２ベース部分または第１ベース部分の対応するカウンタ戻り止め要素とをそれぞれ備えることができる。様々な実施の形態では、戻り止め要素は、ねじ、突起、ナブ（ｎｕｂ）、またはフランジであってもよく、カウンタ戻り止め要素は、戻り止め要素を受け入れる相補的な凹部、くぼみまたは穴を備えることができる。いくつかの実施の形態では、カウンタ戻り止め要素は、対応する第２ベース部分または第１ベース部分に存在するスプリングつまみ（ｓｐｒｉｎｇ  ｔａｂ）である。いくつかの実施の形態では、戻り止め要素は、第１ベース部分または第２ベース部分に存在し、カウンタ戻り止め要素は、第２ベース部分または第１ベース部分に対応する戻り止め溝を備え、戻り止め溝の端部が戻り止め要素を捕捉し、第１ベース部分と第２ベース部分との分離を防止する。
【００４４】
いくつかの実施の形態では、ベースストップは、ベースガイドシステム上に存在するかまたは一体化される。一例として、ガイドシステムが円筒形ロッドなどのベースガイドロッドを備え、ベースガイドスロットがベースガイドロッドを受け入れる相補的な穴または内腔である場合、ベースストップは、ロッドが相補的なベースガイドスロットから外れるのを防止するためのロッドの端部のフランジまたはクランプであってもよい。別の実施の形態では、戻り止め要素は、第１ベース部分または第２ベース部分の一対の側壁の一方またはそれぞれの側壁上にあり、対応するベースストップは、第２ベース部分または第１ベース部分に存在する。例えば、内側に突出する末端部が、第１ベース部分または第２ベース部分の一対の側壁の一方またはそれぞれの側壁の端部（例えば遠位端部または近位端部）に存在する。内側に突出する末端部に接触しうる突出したベースストップが、第２ベース部分または第１ベース部分のそれぞれに、例えば、突出した末端部を有する側壁の近くに存在する。ベースがコンパクト位置から拡張位置までスライド移動されると、内側に突出する末端部が突出するベース片に接触し、ベースがさらに離れるのを防止する。
【００４５】
様々な実施の態では、ポンプアセンブリは、拡張可能なカバーを備える。カバーは、第１カバー部分および第２カバー部分を備え、第１カバー部分および第２カバー部分とはスライド係合している。ある実施の形態では、第１カバー部分は、一方の壁が第１カバー部分の一方の側縁にあり、他方の壁が第１カバー部分の他方の側縁にある第１の一対の対向するカバー側壁と、第１カバー部分の遠位壁と、遠位壁の反対側の開口端と、を備える。いくつかの実施の形態では、第１カバー部分の遠位壁は、カバーが閉じ位置にあるときに、チャンバボディの吐出口のための開口を形成するために第１ベース部分の凹部またはオープンカラーに対向する凹部またはオープンカラーなどの部分的に円形の凹部を有する。ある実施の形態では、第２カバー部分は、一方の壁が第２カバー部分の一方の側縁にあり、他方の壁が第２カバー部分の他方の側縁にある第２の一対の対向するカバー側壁と、ある実施の形態では以下にさらに説明するヒンジアセンブリを含む第２カバー部分の近位壁と、近位壁の反対側の開口端と、を備える。第１カバー部分の開口端は、第１カバー部分および第２カバー部分がスライド係合したときに、第２カバー部分の開口端に対向する。
【００４６】
いくつかの実施の形態では、第１カバー部分および第２カバー部分は、互いに対して伸縮関係にある。限定ではなく一例として、第２カバー部分は、第１カバー部分および第２カバー部分とが互いに対してスライド移動可能なように、第１カバー部分に嵌合するように適合される。
【００４７】
様々な実施の形態では、カバーガイドシステムは、第１カバー部分および第２カバー部分を、コンパクト位置と拡張位置との間でスライド移動可能に案内するために第１カバー部分または第２カバー部分に設けられる。様々な実施の形態において、カバーガイドシステムは、第１カバー部分と第２カバー部分がスライド係合しているときに、第１カバー部分が第２カバー部分から垂直に分離するのを防止する。ある実施の形態では、カバーガイドシステムはまた、例えば、プラーを遠位に動かし、例えばベースに着座した注射器などのチャンバボディのプランジャの頭部に力を加えるためにカバーが下げられたときに、スライド係合された第１カバー部分および第２カバー部分にかかる垂直応力に耐えるのに十分な剛性を提供する。
【００４８】
ベースガイドシステムについて説明した様々なタイプのガイドシステムもまた、カバーガイドシステムとしての使用に適合させることができる。したがって、いくつかの実施の形態では、カバーガイドシステムは、第１カバー部分または第２カバー部分に長手方向に配置されたカバーガイドバーまたはアームと、第２カバー部分または第１カバー部分の対応する相補的なカバーガイドスロットとを備え、 カバーガイドバーまたはアームは、第２カバー部分または第１カバー部分の対応する相補的なカバーガイドスロットにスライド可能に嵌合する。いくつかの実施の形態では、カバーガイドバーまたはアームは、細長いプレートまたはステーであり、相補的なカバーガイドスロットは、細長いプレートまたはステーをスライド可能に係合するように寸法決めされた細長い長方形の凹部である。他の実施の形態では、ガイドバーまたはアームは、円筒形ロッドのようなロッドであり、相補的なカバーガイドスロットは、ロッドをスライド可能に係合するように寸法決めされた穴または内腔である。
【００４９】
いくつかの実施の形態では、カバーガイドシステムは、第１カバー部分または第２カバー部分に長手方向に配置されたカバーガイドレールと、第２カバー部分または第１カバー部分の相補的なカバーガイドトラックとを備え、カバーガイドレールは、 第１カバー部分または第１カバー部分の対応する相補的なカバーガイドトラックにスライド可能に嵌合する。
【００５０】
いくつかの実施の形態では、カバーガイドシステムは、第１カバー部分または第２カバー部分に長手方向に配置されたＴ字形状の断面を有するカバーガイドレールと、第２カバー部分または第１カバー部分にＴ字形状の断面空間を有するカバー線形溝またはスロットを含む対応する相補的なカバーガイドトラックとを備え、カバーガイドレールは、第２カバー部分または第１カバー部分のカバー線形溝またはスロットを含む対応するカバーガイドトラックにスライド可能に嵌合する。いくつかの実施の形態では、カバーガイドシステムは、２つ以上のカバーガイドレールであって、それぞれ第１カバー部分または第２カバー部分にＴ字形状の断面を有する２つ以上のベースガイドレールと、２つ以上のカバー線形溝またはスロットであって、それぞれ第２カバー部分または第１カバー部分にＴ字形状の断面空間を有する２つ以上のカバー線形溝またはスロットを含む対応する相補的なカバーガイドトラックと、を備え、カバーガイドレールは対応するカバーガイドトラックにスライド可能に嵌合する。
【００５１】
いくつかの実施の形態では、カバーガイドシステムは、第１カバー部分または第２カバー部分に長手方向に配置されたＬ字形状の断面を有するカバーガイドレールと、第２カバー部分または第１カバー部分にＬ字形状の断面空間を有するカバー線形溝またはスロットと、を備え、カバーガイドレールは、第２カバー部分または第１カバー部分の対応する相補的なカバー線形溝またはスロットにスライド可能に嵌合する。いくつかの実施の形態では、カバーガイドシステムは、第１カバー部分または第２カバー部分にＬ字形状の断面を有する２つ以上のカバーガイドレールと、２つ以上の線形溝またはスロットであって、それぞれ第２カバー部分または第１カバー部分にＬ字形状の断面空間を有する２つ以上の線形溝またはスロットを含む対応する相補的なカバーガイドトラックと、を備え、カバーガイドレールは対応するカバーガイドトラックにスライド可能に嵌合する。
【００５２】
いくつかの実施の形態では、カバーガイドシステムは、第１カバー部分の第１の一対の対向する側壁の各側壁または第２カバー部分の第２の一対の対向する側壁の各側壁の長さに沿ったカバーリニアレールと、線形溝またはチャネルを含む対応するカバーリニアトラックと、を備え、カバーリニアレールは、第２カバー部分または第１カバー部分の対向する相補的な線形溝またはチャネルにスライド可能に嵌合する。ある実施の形態では、カバーガイドシステムは、第１カバー部分の第１の一対の対向する側壁の各側壁または第２カバー部分の第２の一対の対向する側壁の各側壁の長さに沿った２つ以上のカバーリニアレールと、２つ以上の線形溝を対応する相補的なカバーリニアトラックと、を備え、カバーリニアレールは、対応する相補的なカバーガイドトラックにスライド可能に嵌合する。
【００５３】
いくつかの実施の形態では、カバーガイドシステムは、第１カバー部分の第１の一対の対向する側壁の各側壁または第２カバー部分の第２の一対の対向する側壁の各側壁の長さに沿ったカバーリムと、第２カバー部分または第１カバー部分のリムに相補的な対応する溝またはチャネルと、を備え、カバーリムは、第２カバー部分または第１カバー部分の対応する相補的な溝またはチャネルにスライド可能に嵌合する。
【００５４】
いくつかの実施の形態では、カバーガイドシステムは、第１カバー部分の一対の対向する側壁の各側壁または第２カバー部分の第２の一対の対向する側壁の各壁の長さに沿ったカバーエッジフランジを備え、カバーエッジフランジは、第２カバー部分の第２一対の対向する側壁のうちの対応する側壁または第１カバー部分の第１の一対の対向する側壁のうちの対応する側壁にスライド可能に嵌合する。いくつかの実施の形態では、カバーエッジフランジはＬ字形状であり、第２カバー部分の第２の一対の対向する側壁のうちの対応する側壁または第１ベース部分の第１の一対の対向する側壁のうちの対応する側壁とスライド可能に嵌合する。ある実施の形態では、カバーエッジフランジは、Ｃ、Ｊ、またはＵ字形状のカールを形成するように下方に曲がり、第２カバー部分の第２の一対の側壁のうちの対応する側壁または第１カバー部分の第１の一対の側壁のうちの対応する側壁とスライド可能に嵌合する。
【００５５】
他の実施の形態では、カバーガイドシステムは、第１カバー部分または第２カバー部分に一対の二重側壁を備え、各二重側壁はその間に空間を画定し、第２カバー部分の第２の一対の側壁の各側壁または第１カバー部分の第１の一対の側壁の各側壁は、二重壁の間の空間を介して対応する二重壁にスライド可能に嵌合する。
【００５６】
様々な実施の形態では、カバーは単一のガイドシステムを有し、他の実施の形態では少なくとも２つ以上のガイドシステムを有する。いくつかの実施の形態では、カバーは、第１カバーガイドシステムおよび第２カバーガイドシステムを有する。いくつかの実施の形態では、第１のカバーガイドシステムは、第２カバーガイドシステムと同じ形態のガイドシステムである。いくつかの実施の形態では、第１のカバーガイドシステムは、第２のガイドシステムとは異なる形態のガイドシステムである。
【００５７】
コンパクト位置から拡張位置へとスライド移動するときに第１カバー部分と第２カバー部分が分離するのを防止するために、カバーはカバーストップをさらに備える。ある実施の形態では、カバーストップは、第１カバー部分および第２カバー部分がコンパクト位置から拡張位置にスライド移動したときに第１カバー部分および第２カバー部分が分離するのを防止するために、第１カバー部分または第２カバー部分に存在する。この目的のために、様々なタイプのストップを使用することができる。いくつかの実施の形態では、カバーストップは、第１カバー部分または第２カバー部分の戻り止め要素と、第２カバー部分または第１カバー部分の対応するカウンタ戻り止め要素とをそれぞれ備えることができる。様々な実施の形態では、戻り止め要素は、ねじ、突起、ナブ、またはフランジであってもよく、カウンタ戻り止め要素は、戻り止め要素を受け入れる相補的な凹部、くぼみまたは穴を備えることができる。いくつかの実施の形態では、カウンタ戻り止め要素は、対応する第２ベース部分または第１ベース部分に存在するスプリングつまみである。いくつかの実施の形態では、戻り止め要素は、第１カバー部分または第２カバー部分に存在し、カウンタ戻り止め要素は、第２カバー部分または第１カバー部分に対応する戻り止め溝を備え、戻り止め溝の端部が戻り止め要素を捕捉し、第１カバー部分と第２カバー部分との分離を防止する。
【００５８】
いくつかの実施の形態では、カバーストップは、カバーガイドシステム上に存在するかまたは一体化される。一例として、ガイドシステムが円筒形ロッドなどのカバーガイドロッドを備え、カバーガイドスロットがカバーガイドロッドを受け入れる相補的な穴または内腔である場合、カバーストップは、ロッドが相補的なカバーガイドスロットから外れるのを防止するためのロッドの端部のフランジまたはクランプであってもよい。別の実施の形態では、戻り止め要素は、第１カバー部分または第２カバー部分の一対の側壁の一方またはそれぞれの側壁上にあり、対応するカバーストップは、第２カバー部分または第１カバー部分に存在する。例えば、内側に突出する末端部が、第１カバー部分または第２カバー部分の一対の側壁の一方またはそれぞれの側壁の端部（例えば遠位端部または近位端部）に存在する。内側に突出する末端部に接触しうる突出したカバーストップが、第２カバー部分または第１カバー部分のそれぞれに、例えば、突出した末端部を有する側壁の近くに存在する。カバーがコンパクト位置から拡張位置までスライド移動されると、内側に突出する末端部が突出するカバー片に接触し、カバーがさらに離れるのを防止する。
【００５９】
様々な実施の形態において、カバーはまた、カバーが閉じられたときにチャンバボディを見るためのプログレスウィンドウを有する。好ましい実施の形態では、プログレスウィンドウは、少なくとも、チャンバボディの吐出口に近くで、チャンバボディ例えば注射器バレルを見ることを可能にする。いくつかの実施形態では、プログレスウィンドウが第１カバー部分に存在する。ある実施の形態では、プログレスウィンドウは、チャンバボディを見るために、十分に広くてもよい。いくつかの実施の形態では、プログレスウィンドウはスリットであり、注射器バレルなどのチャンバボディに残っている流体の量を見ることができる。プログレスウィンドウは開いていてもよく、またはいくつかの実施の形態では、プログレスウィンドウはガラスまたは透明プラスチックなどの透明材料を含むことができる。
【００６０】
様々な実施の形態では、ポンプアセンブリは、以下にさらに説明するように、プラーおよび／またはプッシャー、またはチャンバボディをセンタリングまたは保持するためのカラーをベースにスライド可能に取り付けるために１つ以上のトラックシステムをさらに備える。トラックシステムは、プラー、プッシャーおよびカラーの長手方向（すなわち、近位−遠位）にスライド移動可能に配置される。いくつかの実施の形態では、少なくとも１つのトラックシステムが第１ベース部分に存在する。ある実施の形態では、少なくとも１つのトラックシステムは、第１ベース部分と一体である。すなわち、トラックシステムは、形成されたときに第１ベース部分の一部である。他の実施の形態では、少なくとも１つのトラックシステムは第１ベース部分に取り付けられている。すなわち、トラックシステムは別々に作られ、第１ベース部分に取り付けられる。いくつかの実施の形態では、少なくとも１つのトラックシステムは、第１ベース部分の第１の一対の対向する側壁に存在する。ある実施の形態では、少なくとも２つのトラックシステムは、第１ベース部分の第１の一対の対向する側壁に存在する。
【００６１】
いくつかの実施の形態では、少なくとも１つのトラックシステムが第２ベース部分に存在する。いくつかの実施の形態では、少なくとも１つのトラックシステムは、第２ベース部分と一体である。すなわち、トラックシステムは、形成されたときに第２ベース部分の一部である。いくつかの実施の形態では、少なくとも１つのトラックシステムは、第２ベース部分に取り付けられている。すなわち、トラックシステムは別個に作られ、第２ベース部分に取り付けられる。いくつかの実施形態では、少なくとも１つのトラックシステムは、第２ベース部分の第２の一対の対向する側壁に存在する。他の実施の形態では、少なくとも２つのトラックシステムは、第２ベース部分の第２の一対の対向する側壁に存在する。
【００６２】
様々な実施の形態では、単一のトラックシステムが、プッシャー、プラーおよびカラーをスライド可能に取り付けるために使用される。他の実施の形態では、２つの異なるトラックシステムが、プッシャー、プッシャーおよびカラーをスライド可能に取り付けるために使用される。いくつかの実施の形態では、プラー、プッシャーおよびカラーのそれぞれは、異なるトラックシステムにスライド可能に取り付けられる。
【００６３】
プラーをトラックシステムにスライド可能に取り付けるために、プラーは、少なくとも１つのトラックシステムにプラーをスライド可能に取り付けるプラーガイド要素をさらに備える。プッシャーをトラックシステムにスライド可能に取り付けるために、プッシャーはプッシャーを少なくとも１つのトラックシステムにスライド可能に取り付けるプッシャーガイド要素をさらに備える。カラーをトラックシステムにスライド可能に取り付けるために、カラーは、少なくとも１つのトラックシステムにカラーをスライド可能に取り付けるカラーガイド要素をさらに備える。
【００６４】
様々な実施形態において、各トラックシステムは、プラー、プッシャーおよび／またはカラーをスライド可能に取り付けるための１つ以上のトラックガイドを備える。トラックガイドは、プラーガイド要素、プッシャーガイド要素、および／またはカラーガイド要素とスライド可能に係合する。トラックシステムの一部として、トラックガイドはベースと一体化されても、ベースに取り付けられてもよい。限定ではなく一例として、トラックガイドを有する平坦な長方形のプレートを、第１ベース部分または第２ベース部分の床面に取り付けることができる。トラックガイドは、プレートの表面またはプレートの側縁に配置することができる。いくつかの実施の形態では、トラックガイドは、第１ベース部分および第２ベース部分に形成されてもよく、または第１ベース部分および第２ベース部分の床面に取り付けられ得る。
【００６５】
トラックシステムには様々な形態のトラックガイドを使用することができる。いくつかの実施の形態では、トラックガイドは、トラックガイドレールを備え、プーラーガイド要素、プッシャーガイド要素、および／またはカラーガイド要素は、トラックガイドレールにスライド可能に取り付けられる。いくつかの実施の形態では、トラックシステムは、単一のトラックガイドを備える。他の実施の形態では、トラックシステムは、２つ以上のトラックガイドを備える。
【００６６】
いくつかの実施の形態では、トラックガイドレールは、トラックガイドバーを備え、プーラーガイド要素、プッシャーガイド要素および／またはカラーガイド要素は、トラックガイドバーにスライド可能に取り付けられる。一実施形態では、トラックガイドバーは、第１ベース部分または第２ベース部分上の細長い矩形のシートまたはバーである。プラー、プッシャーおよび／またはカラー上のガイド要素は、長方形の断面空間を有するスリーブまたは長方形のシートまたはバーにスライド可能に取り付けられるＣ字形状のガイド要素であってもよい。別の実施の形態では、トラックガイドは、第１ベース部分または第２ベース部分上の円筒形ロッドなどのロッドであり、プラー、プッシャー、および／またはカラー上のガイド要素は、円筒形ロッドにスライド可能に取り付けられる円筒形ボアを有してもよい。
【００６７】
他の実施の形態では、トラックガイドレールはＴ字形状の断面を有する。プラー、プラー、および／またはカラーのガイド要素、例えば、Ｔ字形状の断面空間を有するガイド要素またはＣ字形状の断面空間を有するガイド要素は、Ｔ字形状のガイドレールに対して相補的にスライド可能に嵌合し、Ｔ字形状のガイドレールの頂部を包み込む。あるいは、トラックガイドは、Ｔ字形状の断面空間を有する線形溝またはスロットを備えてもよい。プラー、プッシャー、および／またはカラーのガイド要素は、Ｔ字形状の溝またはスロットにスライド可能に嵌合するＴ字形状の断面を有する。
【００６８】
いくつかの実施の形態では、トラックガイドレールは、Ｌ字形状の断面を有し、プラー、プッシャー、および／またはカラーのガイド要素は、Ｌ字形状のガイドレールに対して相補的にスライド可能に嵌合する。あるいは、トラックガイドは、Ｌ字形状の断面空間を有する線形溝またはスロットを備えてもよい。プラー、プッシャー、および／またはカラーのガイド要素は、Ｌ字形状の溝またはスロットにスライド可能に嵌合するＬ字形状の断面を有する。
【００６９】
上述したように、トラックシステムは、１つのトラックガイドまたは複数のトラックガイドを有することができる。ある実施の形態では、トラックシステムは、少なくとも２つのトラックガイド、例えば第１トラックガイドおよび第２トラックガイドを含む。いくつかの実施の形態では、第１トラックガイドは、内側に面し、第２ベース部分に沿って長手方向に延在する第１リニアレールを備え、第２トラックガイドは、内側に面し、第２ベース部分に沿って長手方向に延在する第２リニアレールを備える。第２リニアレールは、反対側にあり、第１リニアレールに面している。第１リニアレールの下部壁および第２ベース部分の床面は、第１チャネルを規定し、第２リニアレールの下部壁および第２ベース部分の床面は、第２チャネルを規定する。第１チャネルおよび第２チャネルは、互いに内側に面している。種々の実施形態において、第１リニアレールは、第２ベース部分の一方の内側の側縁にあり、第２リニアレールは、第２ベース部分の他方の内側の測縁にある。そのような実施の形態では、プラーガイド要素、プッシャーガイド要素、および／またはカラーガイド要素は、第１および第２のリニアガイドレールに相補的にスライド可能に取り付けられる。いくつかの実施の形態では、プラーガイド要素、プッシャーガイド要素、および／またはカラーガイド要素は、第１および第２のリニアガイドレールによって形成された第１および第２のチャネルにスライド可能に取り付けられる。
【００７０】
いくつかの実施の形態では、第１トラックガイドは、内側に面し、第２ベース部分に沿って長手方向に延びる第１チャネルまたは第１溝を備え、第２トラックガイドは、内側に面し、第２ベース部分に沿って長手方向に延びる第２チャネルまたは第２溝を備える。第１チャネルと第２チャネルは平行で、互いに対向している。ある実施の形態では、第１チャネルは、第２ベース部分の一方の内縁にあり、第２チャネルは、第２ベース部分の他方の内縁にある。他の実施の形態では、第１チャネルは、第２ベース部分の一対の対向する側壁のうちの一方の側壁に存在し、第２チャネルは、第２ベース部分の一対の対向する側壁のうちの他方の側壁に存在する。様々な実施の形態では、プラーガイド要素、プッシャーガイド要素、および／またはカラーガイド要素は、対向するチャネルの内側にスライド可能に取り付けられる。
【００７１】
いくつかの実施の形態では、第１トラックガイドは、第２ベース部分の一方の内側の側縁に沿って長手方向に延在する第１フランジを備え、第２トラックガイドは、第２ベース部分の他方の内側の側縁に沿って長手方向に延在する第２フランジを備える。プラーガイド要素、プッシャーガイド要素、および／またはカラーガイド要素は、第１および第２のフランジにスライド可能に嵌合する。様々な種類のフランジをトラックシステムに使用できる。いくつかの実施の形態では、第１および第２フランジは、Ｃ、ＪまたはＵ字形のカールを内側に形成し、プラーガイド要素、プッシャーガイド要素、および／またはカラーガイド要素とスライド可能に嵌合する。他の実施の形態では、フランジはＬ字フランジであり、プラーガイド要素、プッシャーガイド要素、および／またはカラーガイド要素とスライド可能に嵌合する。
【００７２】
上述したように、同じタイプのトラックガイドを使用するか、または異なるタイプのトラックガイドを使用する複数のトラックシステムを使用することができる。いくつかの実施の形態では、異なるタイプのトラックガイドを使用する様々なタイプのトラックシステムが、プラー、プッシャー、および／またはカラーをポンプアセンブリのベースにスライド可能に係合するために組み合わされうる。例えば、第２ベース部分の一対の対向する側壁を含む第２ベース部分に設けられた複数セットのチャネルは、プラー、プッシャーおよびカラーをベースにスライド可能に係合するように適合させることができる。特定の実施の形態では、ポンプアセンブリは、第１トラックシステムおよび第２トラックシステムを備える。第１トラックシステムは、第１チャネルおよび第２チャネルを備え、第１チャネルは内側に面し、第２ベース部分の一方の内縁に沿って長手方向に延在し、第２チャネルは内側に面し、第２ベース部分の他方の内縁に沿って長手方向に延在し、第１チャネルおよび第２チャネルは、平行で、互いに対向する。第２トラックシステムは、第３チャネルおよび第４チャネルを備え、第３チャネルは内側に面し、第２ベース部分の一対の側壁の一方の側壁の内面に沿って長手方向に延在し、第４チャネルは内側に面し、第２ベース部分の一対の側壁の他方の側壁の内面に沿って長手方向に延在し、第３チャネルおよび第４チャネルは平行で、互いに対向する。ある実施の形態では、プラーおよびプッシャーは第１トラックシステムにスライド可能に係合され、カラーは第２トラックシステムにスライド可能に係合される。別の特定の実施の形態では、プラーおよびプッシャーは第２トラックシステムにスライド可能に係合され、カラーは第１トラックシステムにスライド可能に係合される。
【００７３】
別の特定の実施の形態では、ポンプアセンブリは、第１トラックシステムおよび第２トラックシステムを備える。第１トラックシステムは、第１チャネルおよび第２チャネルを備え、第１チャネルは、内側に面し、第２ベース部分の一方の内縁に沿って長手方向に延在し、第２チャネルは、内側に面し、第２ベース部分の他方の内縁に沿って長手方向に延在し、第１チャネルおよび第２チャネルは平行で、互いに対向する。第２トラックシステムは、Ｌ字形状の断面空間を有し、第２ベース部分の一対の対向する側壁のうちの一方の側壁の内面に沿って長手方向に延在する第１線形溝またはスロットと、Ｌ字形状の断面空間を有し、第２ベース部分の一対の対向する側壁のうちの他方の側壁の内面に沿って長手方向に延在する第２線形溝またはスロットと、を備え、第１線形溝またはスロットと、第２線形溝またはスロットとは互いに対向する。特定の実施形態では、プラーおよびプッシャーは第１トラックシステムにスライド可能に係合され、カラーは第２トラックシステムにスライド可能に係合される。他の実施の形態では、プラーおよびプッシャーは第２のトラックシステムにスライド可能に係合され、カラーは第１トラックシステムにスライド可能に係合される。
【００７４】
本開示で提供されるガイダンスに鑑みて当業者には明らかなように、異なるトラックシステムの組み合わせを含む様々なタイプのトラックシステムをポンプアセンブリに使用することができる。
【００７５】
ポンプアセンブリの様々な実施形態において、プッシャーは、ベースにスライド可能に係合され、プランジャの頭部と接触するよう寸法決めされる。様々な実施の形態において、プッシャーは、ポンプアセンブリの目的に十分な任意の形態とすることができる。いくつかの実施の形態では、プラーは、プッシャースレッド（ｐｕｓｈｅｒ  ｓｌｅｄ）またはプレートを含むことができ、スレッドまたはプレートは、本明細書でさらに説明するように、プッシャーガイド要素を介してトラックシステムとスライド可能に係合する。いくつかの実施の形態では、スライド移動時のプッシャーの摩擦を低減するために、プッシャーは、例えばプッシャーの底部などのプッシャーに取り付けられたホイール、ローラー、またはベアリング、特にマイクロホイール、マイクロローラーまたはマイクロベアリングを有してもよい。プッシャーのプランジャヘッド接触部は、異なる形状および表面のプランジャヘッドを含む、任意のタイプのプランジャヘッドに接触するように適合させることができる。いくつかの実施の形態では、プランジャヘッド接触部は、実質的に長方形、実質的に円形、実質的に楕円形、実質的にＤ、または実質的にＣの断面形状であり、中実またはプランジャヘッドに接触するための凹形空間を有する。プランジャヘッド接触部が凹部空間を含むいくつかの実施形態では、凹部空間は、リブまたは内壁（例えば、傾斜または垂直）などの内部支持部材を有することができる。いくつかの実施の形態では、プランジャヘッド接触部は、プランジャの頭部を受容するために、凹部空間を有するか、または任意の三次元形状に構成されてもよい。プランジャヘッド接触部は、スプリングハウジングのようなプッシャーの他の要素に取り付けられてもよいが、他の実施形態では、プランジャヘッド接触部は、プッシャーの他の部分とは別個にされ別個にトラックシステムにスライド可能に係合されてもよい。いくつかの実施形態では、プッシャーは、プッシャーがプランジャヘッドに接触したときにプランジャヘッドに掛止するために、プッシャーのプランジャヘッド接触部にラッチを有する。プッシャがプランジャヘッドに接触するまで、カバーを閉じてプラとプッシャを遠位に動かすことによって、プランジャを有するチャンバボディが空になっている間に、ラッチをプランジャヘッドに係合させることができる。チャンバボディの吐出口に取り付けられ流体のリザーバに接続されたチューブを有することによって、カバーを開いて上昇させてプラーおよびプッシャーを近位に移動させることによって、チャンバボディはポンプアセンブリ内で充填されうる。これは、プランジャをチャンバボディから引き出し、チャンバボディのチャンバが流体リザーバからの流体で満たされること可能にする。ある実施の形態では、ラッチは、プッシャーがプランジャーヘッドと接触したときにプランジャーの頭部にクリップするバネ付勢式のラッチであってもよい。
【００７６】
さらなる実施の形態では、プッシャーはまた、プランジャヘッドをプッシャーのプランジャヘッド接触部分に案内するプランジャヘッドセンタリング構造を有する。一実施形態では、プッシャーのプランジャヘッドセンタリング構造は、プランジャの頭部側に、円錐センタリング構造のより広い開口が遠位に面した円錐構造を含んでもよい。他の実施の形態では、プランジャセンタリング構造は、プッシャーから遠位端に向かって外側に湾曲するセンタリングウイングを備え、それによってプランジャヘッドをプランジャヘッド接触部分に案内する。プランジャヘッドセンタリング構造の他の様々な実施形態は、当業者には明らかであろう。
【００７７】
上述したように、プッシャーは、プッシャーガイド要素をさらに備え、プッシャーガイド要素は、プッシャーをトラックシステムにスライド可能に取り付ける。特に、プッシャーガイド要素は、トラックシステムの１つ以上のトラックガイドとスライド可能に嵌合する。ある実施形態では、プッシャーガイド要素は、第２ベース部分の内側の側縁に配置されたチャネルなどの第１トラックガイドおよび第２トラックガイドとスライド可能に嵌合するプッシャースレッドまたはプレートを備える。種々の実施の形態において、プッシャーは、プッシャースプリングハウジングとプッシャースプールとを備え、プッシャースプールはプッシャースプリングハウジング内に取り付けられ、スプリング、特にテープスプリングがプッシャースプールの周りに巻き付けられる。ある実施形態では、プッシャースプールはドラムを含み、スプリング、特にテープまたはリボンスプリングがドラムの周りに巻き付けられる。ドラムは、スプリングハウジングにあるドラムシャフトに取り付けることができる。いくつかの実施の形態では、プッシャースプールはシャフトであり、スプリングはそのシャフトに巻きつけられる。特定の実施の形態では、スプリングは、プッシャースプールに巻きつけられずにプッシャーに取り付けられる。
【００７８】
ポンプアセンブリの様々な実施の形態において、プラーは、ベースにスライド可能に係合され、近位端部と遠位端部との間でプラーをスライド移動させることによってスプリングの張力に影響を及ぼすために使用される。いくつかの実施の形態では、プラーは、プッシャーの遠位側にスライド可能に取り付けられる。しかし、ある実施の形態では、例えば、プッシャーとプラーがベース上の異なるトラックシステムにスライド可能に係合される場合、プラーはプッシャーの遠位側にスライド可能に取り付けられる必要はない。様々な実施の形態において、プラーは、ポンプアセンブリの目的に十分な任意の形態とすることができる。限定ではなく例として、プラーは、プラーブロック（ｐｕｌｌｅｒ  ｂｌｏｃｋ）またはプラースレッド（ｐｕｌｌｅｒ  ｓｌｅｄ）を含むことができ、ブロックまたはスレッドは、プラーガイド要素を介してトラックシステムにスライド可能に係合する。プラーブロックまたはプラースレッドを備えるある実施の形態では、スプリングの第１端部がプラーに取り付けられ、プラーはトラックシステムのトラックガイドとスライド可能に係合する。ある実施の形態では、プラーは、例えば第２ベース部分の内側の側縁のチャネルなどのトラックシステムの第１トラックガイドおよび第２トラックガイドとスライド可能に嵌合する。いくつかの実施の形態では、プラーは、プラーがベース内をスライド移動するときのプラーの摩擦を低減するために、例えばプラーの底部などのプラーに取り付けられたホイール、ローラー、またはベアリング、特にマイクロホイール、マイクロローラー、またはマイクロベアリングを有することができる。他の実施の形態では、プラーは、プラースプリングハウジングとプラースプールとを備え、プラースプールはプラースプリングハウジングに取り付けられ、スプリングはプラースプールの周りに巻きつけられる。いくつかの実施の形態では、プラースプールはドラム、または、他の実施の形態ではシャフトであり、スプリング、特にテープまたはリボンスプリングがドラムまたはシャフトの周りに巻かれる。他の実施形態では、スプリングは、プラースプールの周りに巻きつけられずにプラーに取り付けられる。
【００７９】
ポンプアセンブリに使用するためのスプリングは、任意の適切なスプリングとすることができる。特に、ポンプアセンブリ内に構成されるスプリングは、実質的に一定の力を生成する。いくつかの実施の形態では、スプリングは、テープスプリングまたはリボンスプリングを備える。特定の実施の形態では、スプリングは伸長可能なネゲータスプリングである。いくつかの実施の形態では、ポンプアセンブリで使用するためのスプリングは単一のスプリングである。他の実施形態では、ポンプアセンブリのスプリングは、２つ以上のスプリングを備える。複数のスプリングが使用される場合、いくつかの実施の形態では、複数のスプリングは実質的に同様であり、実質的に同様の一定の力を生成する。複数のスプリングが使用される他の実施の形態では、２つ以上のスプリングは、例えば寸法、長さ、および／または定力が異なる、異なるスプリングである。様々な実施の形態では、スプリング、特に実質的に定力のスプリングは、ステンレス鋼、高炭素鋼、ニッケルクロム合金、ニッケルチタン合金などの金属、または非金属複合材で作製することができる（例えば、参照により援用される米国特許第４，４６４，２１６号参照）。いくつかの実施の形態では、スプリングは形状記憶合金で作られる。ある実施の形態では、定力のスプリングは、約５から約９ポンドの力、例えば約６から約８ポンドの力を有するスプリングから選択される。特定の実施の形態では、ポンプは約５ｐｓｉから約１５ｐｓｉ、例えば約１１ｐｓｉから約１４ｐｓｉ、または約１２ｐｓｉから約１４ｐｓｉのような圧力を発揮することができる。ある実施形態では、ポンプは約５ｐｓｉから約１４ｐｓｉ、例えば約１３．５ｐｓｉの圧力を発揮することができる。
【００８０】
上述したように、スプリングは、スプリングの第１部分でプラーに取り付けられ、スプリングの第２部分でプッシャーに取り付けられるので、プッシャーの移動に対して抵抗があるときにプラーをプッシャに対して遠位に移動させるとスプリングに張力が生じる。様々な実施の形態において、スプリングは、スプリングの第１端部でプラーに取り付けられ、スプリングの第２端部でプッシャに取り付けられる。いくつかの実施の形態では、スプリングは、カバーが完全に開いた状態であってもスプリングに張力を生じさせるように、プラーの遠位位置でプラーに取り付けられてもよい。他の実施の形態では、カバーが完全に開いたときにプッシャーに張力の変化を与えるために、プラーが伸長され、スプリングが、例えば遠位端部などの伸長された細長いプラーの任意の点に取り付けられてもよい。ある実施の形態では、スプリングは、プッシャスプールの周りに巻き付けられ、第１端部でプーラに取り付けられる。他の実施の形態では、スプリングはプラースプールの周りに巻き付けられ、第２端部でプッシャーに取り付けられる。スプリングがプラースプールまたはプッシャースプールの周りに巻きつけられたときの巻き付けの方向は、プラーを遠位に動かすことによってスプリングに張力を導入し、プッシャーに遠位方向の力を加えることができるような方向です。いくつかの実施の形態では、スプリングは、プラースプールおよびプッシャースプールの周りに巻き付けられる。ある実施の形態では、テープスプリングは、第１端部でプラーに取り付けられ、第２端部でプッシャに取り付けられ、プッシャのスプールの周りに巻きつけられるので、プラーを遠位に動かすことによって巻き付けられたテープスプリングがほどかれるときにテープスプリングがプランジャーヘッドに実質的に一定の力を発生させる。
【００８１】
いくつかの実施の形態では、ポンプアセンブリは、ベースに着座したチャンバボディをセンタリングおよび／または保持するためのカラーをさらに備え、カラーはプッシャの遠位側のベース上に配置される。様々な実施の形態において、カラーは、注射器バレルをセンタリングおよび／または保持するように適合される。ある実施形態では、カラーは、指掛け用フランジとも呼ばれるチャンバボディの末端部、特に注射器バレルの末端部または指掛け用フランジを受けるように適合された表面を有する。そのようなものとして、いくつかの実施の形態では、カラーは、末端部と相補的である凹状空間を有する。カラーは、単一の末端部または指掛け用フランジを受けるように適合されてもよく、または２つ以上の異なるサイズの末端部または指掛け用フランジを受けるように適合されてもよい。例えば、カラーは、第１末端部を受けるように寸法決めされた外側凹部と、第２末端部を受けるように寸法決めされた内側凹部とを有することができ、第２端部は第１端部よりも小さい。ある実施の形態では、段付き凹部を単一のカラーに使用して、様々なサイズの端部ピースを受け入れることができ、凹部は遠位方向から近位方向に向かってより小さい凹部となるよう段差を付けられ、各凹部は、他の凹部とは異なるサイズの末端部を受ける。様々な実施の形態において、カラーは、オープンカラーまたは閉塞カラーであってもよい。ある実施の形態では、カラーがオープンカラーである場合、カラーは、チャンバボディの指掛け用フランジ、例えば注射器バレルの指掛け用フランジを受け入れるように適合されたスロットを含む。
【００８２】
典型的な実施形態では、カラーはベースにスライド可能に係合される。いくつかの実施の形態では、カラーは、第１ベース部分または第２ベース部分に、好ましくは第１ベース部分にスライド可能に係合される。いくつかの実施の形態では、カラーは、本明細書に記載されたトラックシステムのいずれかにスライド可能に係合される。ある実施の形態では、カラーは、プラーおよびプッシャーがスライド可能に係合されるトラックシステムとは異なるトラックシステムにスライド可能に係合される。他の実施の形態では、カラーは、プラーおよびプッシャーがスライド可能に係合されるトラックシステムと同じトラックシステムにスライド可能に係合される。そのようなものとして、ある実施の形態では、カラーは、プラーおよびプッシャーのガイド要素のために記載したような、カラーをベースにスライド可能に取り付けるためのカラーガイド要素をさらに備える。他の実施の形態では、カラーは、ベースに適合するように寸法決めされ、ベースにスライド可能に係合する。カラーは、遠位および近位にベースを自由にスライドすることができる。
【００８３】
いくつかの実施の形態では、カラースプリングまたは弾性バンドを使用して、カラーをチャンバボディの末端部または指掛け用フランジに押し付けることができる。ある実施の形態では、カラースプリングまたは弾性バンドは、カラーの遠位またはカラーの近位に配置することができる。典型的な実施の形態では、カラースプリングが使用される。いくつかの実施の形態では、カラースプリングは、カラーの近位側に配置された圧縮スプリングを含む。いくつかの実施の形態では、カラースプリングは、カラースプリングの第１端部がカラーと接触し、カラーの近位側の位置、例えば、ベースの第２部分の近位壁で、カラースプリングの第２端部がベースと接触する。カラースプリングは、例えばＣ字形状の断面のチャネルなどのチャネルに取り付けることができ、あるいは他の実施の形態では、カラースプリングは、長手方向に延在するカラースプリングガイドロッドに巻き付けることができる。いくつかの実施の形態では、カラースプリングに使用されるチャネルまたはガイドロッドは、カラーをベースにスライド可能に取り付けるために使用されるトラックシステムの一部であってもよい。
【００８４】
様々な実施の形態において、ポンプアセンブリは、規定された位置で遠位方向へのカラーの移動を防止するためのカラーストップをさらに備える。ある実施の形態では、カラーストップは位置調節可能にされる。他の実施の形態では、カラーストップは、チャンバボディ、特に注射器、より詳細には注射器バレルを受けるように適合される。いくつかの実施の形態では、カラーストップは、本明細書で説明するトラックシステムの遠位端部に取り付けられる。いくつかの実施の形態では、カラーストップは、第２ベース部分の開口端に取り付けられる。ある実施形態では、カラーストップが位置調整可能であるか、トラックシステムの遠位端部に取り付けられているか、または第２ベース部分の開口端に取り付けられているかに関係なく、カラーストップは、カラーストップガイドレールにスライド可能に係合されてもよい。ある実施の形態では、カラーストップをガイドトラックまたはレールにスライド可能に係合させるために、カラーストップは、プラー、プッシャー、およびカラーに関して説明したようなカラーストップガイド要素を有することができる。いくつかの実施の形態では、カラーストップガイドトラックまたはレールは、第１ベース部分に配置される。ある実施の形態では、第２ベース部分の開口端に取り付けられたカラーストップに対して、カラーストップは、本明細書で説明するように、ベースストップと係合し、拡張位置にある第１ベース部分および第２ベースの分離を妨げる。
【００８５】
ポンプアセンブリがベースとベースに枢動可能に接続されたカバーとを備える実施形態では、ある実施形態において、カバーは、ヒンジによってベースに枢動可能に接続される。典型的には、カバーは、ヒンジによってベースの近位端部に接続される。ある実施形態では、ヒンジは、第２カバー部分を第２ベース部分に枢動可能に接続する。いくつかの実施の形態では、単一のヒンジが使用される。他の実施の形態では、カバーは、２つ以上のヒンジによってベース特に第２ベース部分の近位端部に枢動可能に接続される。
【００８６】
典型的な実施の形態では、特にカバーが開かされているときに１つ以上のリンク機構を介してカバーに伝えられる張力がスプリングが残っているときに、カバーの開動作を減衰させるために、ポンプアセンブリはカバーの開放動作を減衰させるダンパをさらに備える。ダンパは、ヒンジから分離することができ、ダンパは、カバーおよびベースに枢動可能に結合される。いくつかの実施の形態では、ダンパーは、ヒンジの機構に組み込まれている。 すなわち、ヒンジはダンパーを備える。別個であろうとヒンジの一部であろうと、ダンパは様々な種類の減衰機構を使用することができる。いくつかの実施の形態では、ダンパは、粘性ダンパ、流体ダンパまたは回転摩擦ダンパである。 例えば、参照により援用される米国特許第７，２７５，２８４号、米国特許第６，８２９，８０７号、米国特許第６，０８５，３８４号および米国特許第４，８２９，６２８号参照。
【００８７】
さらなる実施の態では、ポンプアセンブリは、特に、プランジャを有するチャンバボディがベースに着座し、カバーが下降してプラーを遠位に移動させ、プラーを介してプランジャヘッドに一定の力を提供するときに、またはポンプアセンブリの保管中にカバーを閉塞位置に維持するときに、カバーを閉位置に保持するためのラッチアセンブリまたはロックアセンブリを含む。ラッチアセンブリまたはロックアセンブリは、遠位端部の近くまたは遠位端部のハウジングを両側面を含む、ハウジングの側面に配置することができる。いくつかの実施の形態では、ラッチアセンブリまたはロックアセンブリは、ハウジングの遠位端部またはその近傍、すなわち、例えば第１ベース部分および第１カバー部分の遠位端部などのベースおよびカバーの遠位端部にある。ロータリラッチ（ｒｏｔａｒｙ  ｌａｔｃｈ）、バヨネットラッチ（ｂａｙｏｎｅｔ  ｌａｔｃｈ）、ドローラッチ（ｄｒａｗ  ｌａｔｃｈ）（例えば、オーバーセンターラッチ（ｏｖｅｒ  ｃｅｎｔｅｒ  ｌａｔｃｈｅｓ）、プルドローラッチ（ｐｕｌｌ  ｄｒａｗ  ｌａｔｃｈｅｓ）、バットジョイント固定用ラッチ（ｂｕｔｔ  ｊｏｉｎｔ  ｆａｓｔｅｎｉｎｇ  ｌａｔｃｈｅｓ））、スライドラッチ（ｓｌｉｄｅ  ｌａｔｃｈ）、磁気ラッチ（ｍａｇｎｅｔｉｃ  ｌａｔｃｈ）、ピンロック（ｐｉｎ  ｌｏｃｋ）、バヨネットロック（ｂａｙｏｎｅｔ  ｌｏｃｋ）、ロータリラッチロック（ｒｏｔａｒｙ  ｌａｔｃｈ  ｌｏｃｋ）などを含む様々なタイプのラッチアセンブリまたはロックアセンブリを使用することができる。いくつかの実施の形態では、ラッチシステムは、カバーの開きに抵抗するために、くぼみ又はギザギザ（ｉｎｄｅｎｔａｔｉｏｎ）又は穴と嵌合するねじ、ナブ、マウンド、又は突出を備えてもよい。例えば、カバーが閉じられたときに第１ベース部分の遠位壁と重なり合う第１カバー部分の遠位壁のフランジの内面に、ナブまたはマウンドが存在してもよい。また、ナブまたはマウンドに相補的なくぼみが、第２カバー部分の遠位壁の外面に存在し、カバーを閉じることにより、第１カバー部分のフランジのナブまたはマウンドが第２カバー部分の遠位壁のくぼみに係合する。
【００８８】
いくつかの実施形態では、ハウジングは、注射器の先端をハウジング、特にポンプアセンブリのベースで受けるおよび／またはベースにロックするためのルアーロケータを有する。ある実施の形態では、ルアーロケータは、注射器バレルのルアータイプの吐出口を受けるように寸法決めされる。典型的には、ルアーロケータは、第１ベース部分の遠位壁にある。ある実施形態では、ルアーロケータは、第１ベース部分の遠位壁にカラーを備える。ルアーロケータカラーは、チャンバボディの円筒状のルアーロック先端部を受け、ルアーロケータを画定するカラーに吐出口を中心合わせする部分円筒形の凹部とすることができる。様々な実施の形態において、第１カバー部分の遠位壁はオープンカラーを有する。第１ベース部分の遠位壁のルアーロケータと一体であるオープンカラーは、注射器の吐出口のためにハウジングに開口を形成する。様々な実施の形態において、カバーの遠位壁、特に第１カバー部分の遠位壁は、第１ベース部分の遠位壁のルアーロケータおよび／またはオープンカラーと対向するオープンカラー（例えば、部分的に円形のカラー）を有し、ハウジングが閉鎖状態にあるときに吐出口のための開口を形成する。
【００８９】
いくつかの実施の形態では、ベースの遠位壁はまた、ディスクルアーコネクタを受けるように適合されており、ディスクルーアコネクタは、チャンバボディ、例えば注射器の吐出口に取り付けられている。様々な実施の形態において、ディスクルアーコネクタは、取り扱い中にルアー接続端部が汚染されるのを防ぐための円板形状のフランジを有する。好ましい実施の形態では、ディスクルアーコネクタは、治療流体中の汚染微粒子および微生物を濾過するためのフィルタを含む。フィルタ付きディスクルアーコネクタの一例が、参照により本明細書に援用される国際特許出願番号第ＰＣＴ／ＵＳ１５／１６９２９に記載されている。ある実施の形態では、ディスクルアーコネクタは、遠位壁の内面に接触し、これは、力が注射器プランジャに加えられるときに、ディスクルアーコネクタおよび接続された注射器を支えるように作用する。他の実施の形態では、ベースの遠位壁は、ディスクルアーコネクタの円板部分を受けるための凹部空間を有するオープンカラーを有する。ある実施の形態では、遠位壁は、ディスクルアーコネクタに接触または受けるために、ルアーロケータカラーの周りの遠位壁の内面に部分的に円周状の平坦面を有する。
【００９０】
いくつかの実施の形態では、例えば非適合の注射器などの非適合のチャンバボディの使用を防止するために、ポンプアセンブリは非適合のチャンバボディをリジェクト（排除）するためのリジェクタをさらに備える。様々な実施の形態では、リジェクタは、遠位壁に、注射器出口を受けるように適合された１つ以上のリジェクタランプを含む。様々な実施の形態では、リジェクタランプは、遠位壁に向かって上方に傾斜しており、カバーが下降してプランジャヘッドに力が加えられると、非適合の注射器がベースから滑り出る。ある実施の形態では、リジェクタランプは、遠位方向から近位方向に、遠位壁からベースに下向きに延在する傾斜したリブ、あるいは、遠位端部から近位端部に向かって下方に傾斜している傾斜したプレート、傾斜したリブから形成することができる。いくつかの実施の形態では、リジェクタランプは、遠位壁から下方に延在する離間した傾斜リブまたは離間した傾斜壁を含み、規定された直径を有する注射器バレルの着座を可能にするよう十分に離間される。様々な実施の形態において、リジェクタは、種々のチャンバボディをリジェクトするように構成することができ、単一のポンプアセンブリが、種々のチャンバボディをリジェクトするための種々のリジェクタを有することができる。
【００９１】
いくつかの実施形態では、ポンプアセンブリは、ポンプアセンブリを吊り下げまたは保持するための手段をさらに備える。様々な実施の形態では、ポンプアセンブリは、ポンプアセンブリを吊り下げまたは保持するためのストラップ、コードまたはチェーンを有する。ある実施の形態では、ストラップは、ショルダーハーネス、または身体の周りを包むストラップである。他の実施の形態では、ストラップはループストラップである。いくつかの実施の形態では、ポンプアセンブリは、ポンプアセンブリを支持構造上にクリッピングするためのクリップを有する。一実施形態では、クリップはベルトクリップである。
【００９２】
ポンプアセンブリは、好ましくは、軽量であるが、耐久性のある材料、例えば、アルミニウム、プラスチック、またはそれらの組み合わせで作られている。ポンプの構成要素は、金属またはプラスチックまたはそれらの任意の組み合わせなどの任意の適切な材料を含むことができる。ある実施形態では、ポンプのカバーおよびベースは、アルミニウム（例えば、６０００番台のアルミニウム）のような金属を含む。アルミニウムは、ハードコーティングおよび／または陽極酸化を有することができる。下部のエンドキャップおよび上部のエンドキャップは、存在する場合、例えばアクリロニトリルブタジエンスチレン（ＡＢＳ）のような耐衝撃性プラスチックなどのプラスチックで作ることができる。ある実施の形態では、カバーおよびベースは、耐久性のある硬質プラスチックまたは耐衝撃性のプラスチックや、アルミニウムなどの金属で作られたトラックガイドのように他の部品から作られる。当業者には理解されるように、プッシャー、プラーおよびカラーのような可動部品の摩擦を低減するために、様々な潤滑剤をポンプアセンブリに使用することができる。
【００９３】
ポンプアセンブリが使用されていないときは、保管および／または可搬性に適したコンパクトなサイズに縮小する。ポンプを使用するには、ハウジングをコンパクト位置から拡張位置にスライド移動させることによってハウジングを拡張させ、カバーを開け、プランジャを有するチャンバボディ、特にスライド可能に配置されたプランジャを有する注射器バレルをベースに着座させる。ポンプのカバーが閉じられると、プラーが遠位に移動され、注射器プランジャがプッシャから一定の力を受け、チャンバの内容物がチャンバボディの吐出口を通って排出される。ポンプのカバーが完全に開放されると、プラーが近位方向にスライド移動され、それによりプランジャーが力を受けないようにプッシャーをプランジャーの頭部から解放し、チャンバーの内容物を追い出さない。したがって、ポンプアセンブリからの流体のポンピングは、カバーを開放し、それを完全に開放した位置まで上昇させることによって停止することができる。投与が完了すると、プランジャを有するチャンバボディを取り外し、ポンプを保管および／または可搬性のためにそのコンパクト状態に戻すことができる。
【００９４】
本明細書に開示される装置および方法の構造、機能、製造および使用の原理の全体的な理解を提供するために、特定の例示的な実施形態を説明する。これらの実施形態の１つまたは複数の例が添付の図に示されている。当業者であれば、本明細書に具体的に記載され、添付の図面に示された装置および方法は非限定的な例示的な実施の形態であることを理解するであろう。１つの例示的な実施形態に関連して図示または説明される特徴は、他の実施の形態の特徴と組み合わせられ得る。このような変更および変形は、本明細書に開示されるポンプアセンブリの範囲内に含まれることが意図される。
【００９５】
実施の形態のポンプアセンブリが図１〜１３に示される。図１〜１３の実施の形態では、ポンプは、任意のサイズ、形状、または構成を有していてもよいが、ポンプアセンブリ１００は、実質的に矩形状のハウジングの形で示されている。図１では、図示のポンプアセンブリは、カバーが開いた拡張（伸長）位置（ｔｅｌｅｓｃｏｐｅｄ  ｐｏｓｉｔｉｏｎ）が示されている。一方、図２では、ポンプアセンブリは、カバーが閉じた拡張位置が示されている。ポンプアセンブリ１００は、遠位端部１０２および近位端部１０１を有するハウジングを備える。ハウジングは、ベース１２８およびカバー５００を含む。ベースは、第１ベース部分１０３および第２ベース部分１０４を含む。第１ベース部分および第２ベース部分は、第１ベース部分および第２ベース部分がコンパクト位置から拡張位置まで互いに対してスライド移動可能なように、スライド係合している。第１ベース部分１０３は、第１の一対の対向するベース側壁１０６、１０７（側壁１０６を有する側は前端とも呼ばれ、側壁１０７を有する側は後端とも呼ばれる）と、下部のエンドキャップ１１６とも呼ばれる遠位壁と、下部のエンドキャップと対向する開口端と、を有する。第２ベース部分は、第２の一対の対向するベース側壁１０９、１１０と、ヒンジアセンブリ６００で塞がれた近位端部、または、さらに本明細書に記載されるように近位壁と、近位端部と対向する開口端と、を有する。
【００９６】
第１ベース部分１０３および第２ベース部分１０４は、図３に示されるベースガイドシステムを介してスライド係合されている。図３では、第１ベース部分１０３および第２ベース部分１０４は、互いに伸縮関係にある。すなわち、第２ベース部分は、第１ベース部分および第２ベース部分が互いに対してスライド移動可能なように、第１ベース部分内にスライド可能に嵌合する。第１ベース部分１０３は、第１ベース部分の一対の側壁１０６、１０７の各側壁に沿って、第２ベース部分１０４とスライド係合する。図３では、第１ベース部分は、側壁１０６、１０７にリップまたはエッジフランジ１１４、１１５をそれぞれ有する。第１ベース部分１０３の一対の側壁のリップまたはエッジフランジ１１４、１１５は、対応する第２ベース部分の側壁１０９、１１０を保持し、第１ベース部分１０３が第２ベース部分１０４に対してスライド移動することを可能にする。第１ベース部分１０３のリップまたはエッジフランジ１１４、１１５は、第２ベース部分１０４の一方の側壁（すなわち前縁）１０９および他方の側壁（すなわち後縁）１１０の周囲にＣ字型またはＵ字型に内向きに延在してもよい。
【００９７】
図４に示されるように、ベースのエンドキャップ１１６により規定される遠位壁は、ハウジング上に注射器の先端を受けるまたはロックするための、特に注射器バレルのルアータイプの吐出口を受けるよう寸法決めされたルアーロケータ（ｌｕｅｒ  ｌｏｃａｔｏｒ）１１７を有する。ルアーロケータ１１７は、注射器バレルのルアー吐出口を受けるよう寸法決めされたオープンカラーである。遠位壁はまた、遠位壁の内面に、吐出口を画定するチャンバボディの端部に接触または受けるためのルアロケータカラー、またはディスクルアーコネクタの周りに部分的に円周面１２９を有する。ある実施の形態では、部分的に囲む面は、ディスクルアーコネクターを収容する部分的に囲む平坦面であり、ディスクルアーコネクタが注射器と接続され、かつ、プランジャヘッドに圧力が加わるときに、ディスクルアーコネクタを支持する。遠位壁はまた、遠位端部から近位端部に向かって下向きに傾斜する一対のリジェクタランプ１１８、１１９を有する。一対のリジェクタランプ１１８、１１９は、離間したリジェクタランプに合わないチャンバボディ（例えば注射器）は着座させず、規定の直径を有するチャンバボディ（例えば注射器）が着座できるように十分に離間している。
【００９８】
図１および図２に示されるポンプアセンブリでは、カバー５００は、第１カバー部分５０１および第２カバー部分５０２を含む。第１カバー部分および第２カバー部分は、第１カバー部分５０１および第２カバー部分５０２がコンパクト位置から拡張位置まで互いに対してスライド移動可能なように、スライド係合している。図１の実施の形態では、第１カバー部分は、第１の一対の対向する第１カバー部分側壁５０３（すなわち前縁）および第１カバー部分側壁５０４（すなわち後縁）と、カバーエンドキャップ５１４とも呼ばれる遠位壁と、当該遠位壁と対向する開口端と、を含む。第２カバー部分は、第２の一対の対向する第２カバー部分側壁５０６（すなわち前縁）および第２カバー部分側壁５０７（すなわち後縁）と、壁またはヒンジ６００で塞がれた近位端部５０８と、近位壁と対向する開口端と、を含む。カバーは、使用時に、ポンプの内部空洞を見ること、特にチャンバボディを見ることを可能にするプログレスウィンドウ５１３を含む。図示された実施の形態では、プログレスウィンドウ５１３はハウジングの遠位端部側の第１カバー部分に存在している。
【００９９】
第１カバー部分５０１および第２カバー部分５０２は、図３に図示されるように、カバーガイドシステムを介してスライド係合している。図３では、第１カバー部分５０１および第２カバー部分５０２は、互いに対して伸縮関係にある。すなわち、第２カバー部分は、第１カバー部分および第２カバー部分が互いに対してスライド移動可能なように、第１カバー部分内にスライド可能に嵌合する。ある実施の形態では、第１カバー部分５０１は、第１カバー部分の一対の対向する側壁５０３、５０４の各側壁に沿って、第２カバー部分５０２とスライド係合している。図３では、第１カバー部分は、第２カバー部分５０２の側壁５０６、５０７に対応する第１カバー部分５０１の一対の対向する側壁５０３、５０４の周りにリップまたはエッジフランジ５１１、５１２を有し、第１カバー部分５０１が第２カバー部分５０２に対してスライド移動することを可能にする。第１カバー部分５０１のリップまたはエッジフランジ５１１、５１２は、第２カバー部分５０２の一方の側壁（すなわち前縁）５０６および他方の側壁（すなわち後縁）５０７の周囲にＣ字型またはＵ字型に内向きに延在してもよい。閉じたコンパクト状態では、第１カバー部分５０１は最も近位端部１０１に近い位置にあり、第１カバー部分５０１は第２カバー部分５０２を覆う（図６参照）。閉じたコンパクト状態では、第１カバー部分のプログレスウィンドウ５１３は、第２カバー部分によって塞がれてもよい。閉じた挿入状態では、第１カバー部分５０１は近位のヒンジ６００から離れる遠位方向に拡張され、第２カバー部分５０２は、実質的に露出し、第１カバー部分５０１とは重なり合わない（図２参照）。ある実施の形態では、カバー５００は、挿入状態に拡張できない。例えば、カバー５００は、挿入状態に拡張できず、かつ、拡張できる第２カバー部分がポンプアセンブリ１００に存在しなくてもよい。
【０１００】
図１〜１３の実施の形態では、カバー５００は、近位部のヒンジ６００によって枢動可能にベース１２８に接続されている。ヒンジ６００は、ゆっくり及び／又は制御されたカバー５００の開放を達成するためのダンパー６０１を有する。図示された実施の形態では、第２ベース部分１０４は、第２ベース部分および第２カバー部分の近位端部１０１でヒンジによって枢動可能に第２カバー部分５０２に接続される。ヒンジ６００は、カバーが上昇または下降するのを可能にし、ダンパー６０１は、カバーが開いているときにスプリングにテンションが残っていれば、カバーの開放を減衰させる。例えば、ユーザは、ベースエンドキャップ１１６およびカバーエンドキャップ５１４を接触して保持するラッチを解放するボタンを押してもよく、または、手動でカバーとベースを分離してもよい。一旦解放されると、カバー５００は、例えば、ユーザによる操作を必要とせずに、ゆっくりした及び／又は制御された態様でヒンジオープンする。ある実施の形態では、ダンパーのシャフトに取り付けられたスプリングクラッチは、減衰力が一方向にのみ機能することを可能にする。これにより、カバー５００を閉じるのに必要な力の量が制限される。ヒンジ６００は、カバーが閉じ位置にあるとき、第１ベース部分１０３に対する第２ベース部分１０４のスライド移動により、第１カバー部分５０１に対して第２カバー部分５０２が共に移動するように、カバー５００をベース１２８に接続する。しかしながら、カバー５００およびベース１２８はそれぞれ、ポンプが開状態にあるとき、互いに独立して伸縮できる。例えば、開状態にあるとき、ベース１２８は、カバー５００が、占有スペースが小さく、ユーザが注射器を準備して挿入するときに邪魔にならないように縮んだ状態にあるとき、注射器を受けるために拡張してもよい。カバー５００は、それから、ベース１２８から独立して拡張できる。図２は、閉じた拡張（伸長）位置にあるポンプアセンブリを示す。一方、図６〜８は、閉じたコンパクト位置にあるポンプアセンブリを示す。
【０１０１】
ポンプアセンブリはさらに、図５に示されるようにプラーそり又はプレート３０１として構成され、ベース１２８にスライド可能に係合されたプラーアセンブリ３００と、ベース１２８にスライド移動可能に係合されたプッシャーアセンブリ２００と、を備える。図示の実施の形態では、プラー２００およびプッシャー３００は、第２ベース部分１０４にスライド可能に係合されている。スプリングは、スプリングの第１端部がプラー３００に接続され、スプリングの第２端部がプラー２００に接続されている。図５に詳細に示されるように、プッシャーアセンブリは、スプリングハウジング２０６およびスプール２０７を含む。テープスプリング２０８はスプールに巻かれている。テープスプリングは、スプールに直接取り付けられる、またはテープスプリングの巻きがスプールに直接取り付けられずにスプールに載置される。スプール２０７は、ドラムシャフト２０９に取り付けられたスプールドラムである。プッシャーは、図５では、凹状内部空間２０１を有する円筒であり、プランジャの頭部に接触するよう寸法決めされる。プッシャーに対してプランジャヘッドを案内するため、プッシャーは、センタリング翼２０４、２０５という形でプランジャセンタリング構造を有する。センタリング翼２０４、２０５は、プランジャヘッド接触部２０１に向かって内側に傾斜している。これにより、プッシャーアセンブリのプランジャヘッドと接触する部分へ、プランジャヘッドをガイドする。
【０１０２】
プラー３００およびプッシャー２００は、ベース１２８とスライド係合している。図１、３および５では、ポンプアセンブリはトラックシステムを有する。トラックシステムは、第２ベース部分１０４の床面上の第１トラックガイドレール１２２および第２トラックガイドレール１２７からなる。トラックガイドレールは、断面Ｔ字形状を有し、第２ベース部分上を長手（近位−遠位）方向に延在する。プラー３００は、プラーガイド要素３０２を有する。プラーガイド要素３０２は、Ｔ字形状のトラックガイドレール１２２、１２７にスライド可能に係合されている。プッシャー２００は、プッシャーガイド要素（不図示）有する。プッシャーガイド要素もまた、Ｔ字形状のトラックガイドレール１２２、１２７にスライド可能に係合されている。プラー３００とプッシャー２００によって同一のトラックシステムが使用されているので、プラー３００は、トラックシステム上で、かつ、プッシャー２００より遠位側のベース上にスライド可能に取り付けられている。すなわち、プラーアセンブリ３００は、プッシャーアセンブリ２００に対してベースの遠位端部１０２により近い位置で固定されている。
【０１０３】
図１に示すように、第１リンク機構４００および第２リンク機構４０１はカバー５００をプラー３００に枢動可能に連結する。第１リンク機構４００の第１旋回ポイント４０２および第２旋回ポイント４０３と、第２リンク機構４０１の第３旋回ポイント４０４および第４旋回ポイント４０５とは、カバー５００が下げられときにプラーを遠位端部に向けてスライド移動させ、カバー５００が上げられたときにプラーを近位端部に向けてスライド移動させるように位置している。特に、第１リンク機構の第１旋回ポイント４０２および第２リンク機構の第３旋回ポイント４０４は、第２カバー部分上にある。第１リンク機構４００および第２リンク機構４０１は、ある角度で、特に規定の角度で、プラー３００に向かって曲がっている。リンク機構の曲り部４０６、４０７のポイントは、２つの部分を有する曲りリンク機構を提供するためにリンク機構の中心からオフセットしている。リンク機構の第１部分は第２部分よりも短い。曲り部は、プラーアセンブリ３００の近位のリンク機構上のポイントに配置されてもよい。図示の実施の形態では、より短い部分である第１部分は、枢動可能にプラー３００に接続されている。一方、より長い部分である第２部分は、枢動可能に第２カバー部分５０２に接続されている。ある実施の形態では、プラー３００の移動と連動される第１リンク機構４００および第２リンク機構４０１の移動を維持するために、第１リンク機構４００および第２リンク機構４０１は、実質的に同一の長さであり、リンク機構の実質的に同じポイントに曲り部を有し、実質的に同じ所定の曲り角を有する。加えて、プラーが移動するときに第１リンク機構および第２リンク機構が実質的に平行に移動するために、第１リンク機構および第２リンク機構を枢着させるカバー上の位置は、近位端部から実質的に同じ距離にあり、第１リンク機構により近いカバーの一方の側縁（すなわち前縁）からの距離と第２リンク機構により近いカバーの側縁（すなわち後縁）からの距離もまた実質的に同じである。
【０１０４】
図１の実施の形態では、拡張位置のベース１２８は、吐出口およびボア（bore）を画定するチャンバ、およびボア内にスライド可能に配置されるプランジャに合うよう寸法決めされたベース内部１０５を有する。ポンプアセンブリ１００は、チャンバボディをセンターリングするための及び／又は保持するためのカラー７００を選択的に含む。図１では、カラー７００は、閉塞カラーであり、カラーガイド要素７０７によってベース１２８上のカラーガイドシステム７０４にスライド可能に係合される。カラー７００は、例えば注射器の指掛け用フランジなど、チャンバボディの末端部（例えば指掛け用フランジ）を受けるための凹部７０５を有する。カラースプリング（不図示）または弾性バンドは、本明細書でさらに詳述されるように、プランジャの頭部に押されるカラーを保持するために使用されてもよい。
【０１０５】
図１〜１３のポンプアセンブリを操作する典型的な実施の形態では、閉じたコンパクト状態（図６〜８参照）から閉じた拡張状態にポンプを変形させるために、近位端部１０１が一方の手で握られ、遠位端部１０２がもう一方の手で握られ、ポンプを閉じた拡張状態に拡張させるべく２つ端部が反対方向に引っ張られてもよい（図２参照）。閉じたコンパクト状態からポンプを拡張させるとき、第１ベース部分１０３および第２ベース部分１０４は、第２ベース部分の側壁１０９、１１０および第１ベース部分１０４のエッジフランジ１１４、１１５に沿ってスライド移動し、一方、第１カバー部分５０１および第２カバー部分５０２は、第２カバー部分の側壁５０６、５０７および第１カバー部分のエッジフランジガイド５１１、５１２に沿ってスライド移動する。ポンプが拡張されるときにカバー５００およびベース１２８が近位のヒンジ６００から離れて一緒に拡張するように、カバーおよびベースは遠位端部１０２において係止手段または掛止手段によって保持されてもよい。限定ではなく例として、係止または掛止システムは、特に、他方のエンドキャップに合うよう寸法決めされた又は他方のエンドキャップを補完するよう設計されたベースまたはカバーの一方のエンドキャップの突起、バンプ（bump）、マグネットまたはラッチを含み、ポンプアセンブリが閉じられるときにカバーおよびベースが個別ではなく一緒に拡張または縮まるのを可能にする。ある実施の形態では、係止手段は、閉塞状態ではカバーを保持せず、カバーまたはベースの一方の他方に対する近位または遠位への移動を妨げる。例えば、下部のエンドキャップからの突起が上部のエンドキャップの開口によって受けられるような係止アセンブリは、ベースが拡張することなくカバーが拡張するのを妨げるが、突起はカバーの開放を妨げない。
【０１０６】
閉じたコンパクト状態からの閉じた拡張状態へのポンプの変形は、ポンプの２つの端部を手動で引っ張ること以外の方法で達成できる。例えば、第１ベース部分１０３および第２ベース部分１０４は、ボタンを押し下げる又はスライドさせるなどのトリガーによりコンパクト化されたポンプが閉じた拡張状態に拡張するようなバネ付勢式であってもよい。上述したように、カバー５００および／またはベース１２８は、カバーおよび／またはベースを拡張状態にロックするための係止手段を有していてもよい。例えば、第２カバー部分５０２一対の対向する側壁５０６、５０７は、戻り止めつまみを含んでいてもよい。戻り止めつまみは、コンパクト状態では第１カバー部分５０１によって押し込めらる。戻り止めつまみは、拡張状態では、図示しないが拡張位置にある第１カバー部分をロックしてカバーが引っ込むのを防ぐために、トラックから延びる。コンパクト状態にカバーを引っ込めるために、ユーザは、例えば、戻り止めつまみをしてもよく、または、戻り止めつまみを強制的にトラックとカバーとの間に押し下げてカバーをコンパクト状態に変形させるためにカバーの近位端部に向けてカバーの遠位端部に十分な力を供給してもよい。ある実施の形態では、戻り止め要素５１５、５１６（例えば図２参照）もまた、第１カバー部分上に存在し、特に拡張状態において第２カバー部分に対する第１カバー部分の移動を止めるために戻り止め溝５１７、５１８に係合する。ベースもまた、第１ベース部分の一対の対向する側壁上に戻り止め要素を有する。戻り止め要素は、特に拡張状態において第２ベース部分に対する第１ベース部分の移動を止めるために、第２ベース部分の側壁上に存在する戻り止め溝に係合する。図１、２は、第１ベース部分の一方の側壁（前縁）上の戻り止め要素１２４と、第２ベース部分の側壁上の対応する戻り止め溝１２５とを示す。図３は、断面図で戻り止め溝１２５、１２６を示している。
【０１０７】
ポンプを閉じた拡張状態から開いた拡張状態に変形させるために、ベースのエンドキャップ１１６が一方の手で握られ、カバーのエンドキャップ５１４が他方の手で握られ、２つのキャップが互いに離れる方向に引っ張られてもよい。ある実施の形態では、係止手段または掛止手段はベースのエンドキャップ１１６およびカバーのエンドキャップ５１４を閉じた状態に保つ。閉塞手段の解放またはオープンは、例えば、それによってキャップ１１６およびキャップ５１４を分離することを可能にする掛け金を解放するボタンを押すことによって、トリガされてもよい。例えば、ラッチ、クラスプ（ｃｌａｓｐ）またはマグネットが、ベースのエンドキャップおよびカバーのエンドキャップを閉じた状態に保持してもよい。ベースのエンドキャップ１１６およびカバーのエンドキャップ５１４の間の接続が一旦解放されると、カバーは、近位端部のヒンジ６００によってヒンジ式に開く。
【０１０８】
図９に示されるように、開いた拡張状態では、注射器８００などのプランジャを有するチャンバボディがポンプアセンブリのベースの内部１０５に装着される。ベース１２８は、注射器バレル８０１およびプランジャ８０３を備える従来の注射器８００を受け入れるよう適合される。従来の注射器８００は、プランジャ８０３を受けるための内腔を画定するバレル８０１を備える。バレル８０１は、一端に吐出口先端８０４を有し、他方の開口に幅広開口８０５を有する。バレル８０１の幅広開口８０５には、エンドピースまたは指掛け用フランジ８０２とも呼ばれる面が、バレル８０１の表面に対して実質的に垂直にバレル８０１の外側に延在する。カラー７００は、注射器バレル８０１を所定の位置に保持し、例えば側方への動きなどのベースの内部１０５における注射器の移動を防ぐようにエンドピースを受けるよう寸法決めされる。図１に示されるように、カラー７００は、カラーガイド要素７０７を介してベース１２８上のトラックシステム７０４とスライド係合してもよく、カラーが注射器バレルのエンドピースに押されるようにしておくための緊張手段を有してもよい。例えば、ベース上に配置されたスプリングまたは弾性バンドは、カラーが注射器のエンドピースに押されるようにしておくために使用される。カラー７００は、近位端部１０１または遠位端部１０２の方向にスライドできる。ある実施の形態では、カラー７００は、カラースプリングを有するベース１２８に接続されてもよい。カラースプリングのスプリングは、カラーに対してベースの近位または遠位に配置されてもよい。その静止状態では、カラー７００のカラースプリングは、ベース１２８の遠位端部１０２の最も近い位置にカラーをおいてもよい。拡張位置では、カラー７００は、ベース１２８の遠位端部１０２からより遠く、ベース１２８の近位端部１０１により近くにあってもよい。
【０１０９】
ある実施の形態では、図９、１０のように、メスルアー８０７が注射器８００の吐出先端８０４に取り付けられる。メスルアー８０７は、ベースのルアーロケータ１１７にはまり、注射器８００の移動を抑止するようにるように寸法決めされる。ある実施の形態では、仮に注射器８００が内部１０５に装着され、その注射器がルアーロケータ１１７内にはまる適切なメスルアー８０７を欠いていたら、注射器８００は、ユーザがポンプカバー５００を閉じようとしたとき、リジェクタランプ１１８、１１９（図４参照）に沿ってポンプから外に押し上げられる。限定ではなく例として、仮にユーザが、２０ｍｌの注射器に適したポンプで３０ｍｌの注射器を使用しようとした場合、リジェクタランプは、カバーを閉じようとしたとき、ベースから注射器を押し出す。
【０１１０】
ある実施の形態では、液体が予め注入された注射器８００がポンプのベースの内部１０５に装着される。液体が予め注入された注射器は、まず、注射器を位置決めするカラー７００を通って、プランジャが挿入されてもよい。面またはエンドピース８０２は、ベース１２８の遠位端部１０２と面するカラー７００の面によって保持されてもよい。注射器８００のプランジャ８０６の頭部は、ベース１２８の近位端部１０１と面するカラー７００の側から延在する。メスルアー８０７は、ルアーロケータ１１７内で静置またはルアーロケータ１１７に係合してもよい。カラー７００は、注射器８００の長さに対応するためにベースの遠位端部により近い、より近位の位置で、静止状態から離れるようにベース１２８のトラックシステムにスライド可能に係合してもよい。カラー７００のカラースプリングは、注射器を所定の位置に固定するのを支援するために、ベースの遠位端部１０２の方向に向けてカラーがエンドピース８０２に押しつけられるようにする。
【０１１１】
ある実施の形態では、液体が予め注入された注射器には、注射器内の液体を投与するのに適したチューブが装着される。注射器ポンプのチューブは、患者への注入の最終的な望ましい速度を達成するために、種々の予め設定された流量によって選択されてもよい。チューブは、好ましくは注射器をポンプのベースに装着する前に、メスルアー８０７に取り付けられてもよい。チューブは、メスルアーからポンプの外まで延びる。メスルアーに取り付けられていないチューブの端部には、針またはコネクターを介して１つ以上の追加のチューブが取り付けられてもよい。
【０１１２】
一旦注射器８００が、例えばルアーロケータ１１７やカラー７００を介して、ポンプのベース内に固定されると、ポンプのカバー５００は、液体を流し始めるために、図１０に示すように、閉じられる。カバーが開いた位置にあるとき、枢動可能に連結するリンク機構４００、４０１はベース内の近位にプラーを配置し、プッシャーは、液体が注射器から押し出されないように、プランジャの頭部に押しつけられない。カバーが閉じ位置に下げられると、枢動可能に連結するリンク機構４００、４０１は、接続されたスプリングを介してプッシャーをプランジャの頭部に押しつけるために、プラーを遠位に移動させる。プランジャはバレル内に押され、それによって注射器バレルから液体が出る。ある実施の形態では、カバー５００が閉じたままで、かつ、注射器が空でないとき、スプリングによってプランジャ８０３に課された実質的に一定の力を介して液体が注射器バレルから出る。ポンプカバー５００が開いていれば、枢動可能に連結されたリンク機構４００、４０１はプラー３００およびプッシャー２００を近位に移動させる。
【０１１３】
ポンプアセンブリの他の実施の形態が図１４〜２４に示される。図１４〜２４は、ポンプアセンブリに組み込むことのできる別の機能および構成を示す。開いた拡張位置にあるポンプアセンブリを示す図１４では、ポンプアセンブリ１００は、遠位端部１０２および近位端部１０１を有するハウジングを備える。ハウジングはベース１２８およびカバー５００を有する。ベース１２８は、第１ベース部分１０３および第２ベース部分１０４を含む。第１ベース部分は、第１ベース部分および第２ベース部分１０４がコンパクト位置および拡張位置の間を互いに対してスライド移動するように、第２ベース部分にスライド係合している。第１ベース部分１０３は、第１の一対の対向するベース側壁１０６（前縁）およびベース側壁１０７（後縁）と、遠位壁１０８と、遠位壁と対向する開口端と、を有する。第２ベース部分１０４は、第２の一対の対向するベース側壁１０９（前縁）およびベース側壁１１０（後縁）と、ヒンジ６００の一部であってもよい近位壁１１１と、近位壁と対向する開口端と、を有する。ベースは、ベースが拡張位置にあるときにプランジャを有するチャンバボディを受けるに十分な内部空間１０５を画定する。
【０１１４】
図１４、１８、１９に示されるように、第１ベース部分１０３および第２ベース部分１０４は、ベースガイドシステム１２１を介してスライド係合する。ベースガイドシステム１２１は、ベースガイドトラック１１３にスライド係合する第２ベース部分上のガイドレール１１２を含む。ベースガイドトラック１１３は、第１ベース部分上の溝（channel）である。側壁の外側に面し、長手方向に第２ベース部分に沿って延在するベースガイドレール１１２は、第１ベース部分１０３上のベースガイドトラック１１３にスライド係合する。第１ベースガイドレールは第２ベース部分の一対の対向するベース側壁のうちの一方の側壁に存在し、第２ベースガイドレールは第２ベース部分の一対の対向するベース側壁のうちの他方の側壁に存在する。第１ベース部分の一対の対向するベース側壁のうちの一方の側壁上の第１ベースガイドトラックは、第１ベースガイドレールとスライド可能に嵌合し、第１ベース部分の一対の対向するベース側壁のうちの他方の側壁上の第２ベースガイドトラックは、第２ベースガイドレールとスライド可能に嵌合する。
【０１１５】
図１４、１５、２２に示されるように、ベースの遠位壁１０８は、ハウジング上に注射器の先端を受けるまたはロックするための、特に注射器バレルのルアータイプの吐出口を受けるよう寸法決めされたルアーロケータ１１７を有する。ルアーロケータ１１７は、注射器バレルのルアー吐出口を受けるよう寸法決めされたオープンカラー状をなす。遠位壁はまた、遠位壁の内面に、ルアーロケータカラーの周りで、例えば国際特許出願番号第ＰＣＴ／ＵＳ１５／１６９２９号に記述されているようなディスクルアーコネクタに接触またはディスクルアーコネクタを受ける部分的に囲む平坦面１２９を有する。ある実施の形態では、部分的に囲む平坦面は、ディスクルアーコネクタが注射器と接続され、かつ、プランジャヘッドに圧力が加わるときに、ディスクルアーコネクタを支持するために使用される。遠位壁はまた、リジェクタランプ１１８、１１９、１３０を有する。リジェクタランプ１１８、１１９、１３０は、遠位端部から近位端部に向かって下向きに傾斜し、非適合のチャンバボディ（例えば注射器バレル）をリジェクトする一方で、規定の直径を有するチャンバボディ（例えば注射器バレル）が着座できるように十分に離間している。種々の数および／または構成のリジェクト傾斜が、異なる形状およびサイズを有する注射器バレルをリジェクトするために、１つのポンプアセンブリに用いられてもよい。
【０１１６】
図１４、１６、１７、２３に示されるカバー５００は、第１カバー部分５０１および第２カバー部分５０２を含む。第１カバー部分および第２カバー部分は、第１カバー部分５０１および第２カバー部分５０２がコンパクト位置から拡張位置まで互いに対してスライド移動可能なように、スライド係合している。第１カバー部分５０１は、第１の一対の対向するカバー部分側壁５０３（前縁）およびカバー部分側壁５０４（すなわち後縁）と、第１カバー部分遠位壁５０５と、第１カバー部分遠位壁と対向する開口端と、を含む。第２カバー部分は、第２の一対の対向するカバー部分側壁５０６（前縁）およびカバー部分側壁５０７（後縁）と、ヒンジ６００を含んでもよい第２カバー部分近位壁５０８と、近位壁と対向する開口端と、を含む。カバーは、使用時に、ベースに着座したチャンバボディを見るためのプログレスウィンドウ５１３を含む。図示された実施の形態では、プログレスウィンドウは、ハウジングの遠位端部側の第１カバー部分に存在している。ある実施の形態では、近位壁に対向する開口端において第２カバー部分は、ポンプが閉じ位置にあるときのプログレスウィンドウの可視領域を大きくするために、プログレスウィンドウの端部形状に合う切り込みを有してもよい。図１４の実施の形態はまた、第２カバー部分上の斜めの突起として構成された戻り止め要素（不図示）と、第１カバー部分において斜めの突起を受ける対応する補完穴と、含む。斜めの形状は、第１カバー部分および第２カバー部分がコンパクト位置にスライド移動したときに、戻り止め要素が容易に穴から離脱することを可能にする。
【０１１７】
図１４、１８、１９に示されるように、第１カバー部分５０１および第２カバー部分５０１は、カバーガイドシステムを介してスライド係合する。カバーガイドシステムは、第１カバー部分上の溝であるカバーガイドトラック５１０にスライド係合する第２カバー部分上のカバーガイドレール５０９を含む。カバーガイドレール５０９は、側壁の外側に面し、第２カバー部分に沿って長手方向に延在し、第１カバー部分１０３上の溝であるカバーガイドトラック５１０にスライド係合する。第1カバーガイドレールは第２カバー部分の一対の対向するカバー側壁のうちの一方の側壁に存在し、第２カバーガイドレールは第２カバー部分の一対の対向するカバー側壁のうちの他方の側壁に存在する。第１カバー部分の一対の対向するカバー側壁のうちの一方の側壁上の第１カバーガイドトラックは、第１カバーガイドレールとスライド可能に嵌合し、第１カバー部分の一対の対向するカバー側壁のうちの他方の側壁上の第２カバーガイドトラックは、第２カバーガイドレールとスライド可能に嵌合する。
【０１１８】
図１４〜１７、２３、２４に示すように、カバー５００は、ダンパー６０１を有するヒンジ６００によって枢動可能にベース１２８に接続されている。図示された実施の形態では、第２ベース部分１０４は、第２ベース部分および第２カバー部分の近位端部１０１でヒンジ６００によって枢動可能に第２カバー部分５０２に接続される。ヒンジ６００は、カバーが上昇または下降するのを可能にし、ダンパー６０１は、図１の実施の形態で議論されたように、特に、カバーが開いていてスプリングにテンションが残っていれば、カバーの開口を減衰させる。ヒンジ６００は、カバーが閉じ位置にあるとき、第１ベース部分１０３に対する第２ベース部分１０４のスライド移動により、第１カバー部分５０１に対して第２カバー部分５０２が共に移動するように、カバー５００をベース１２８に接続する。図１の実施の形態で議論されたように、図１４の実施の形態のカバー５００およびベース１２８はそれぞれ、ポンプが開状態にあるとき、互いに独立して伸縮できる。図２３は、カバーが閉じ、ハウジングが拡張位置にある状態のポンプアセンブリを示す。一方、図２４は、カバーが閉じ、ハウジングがコンパクト位置にある状態のポンプアセンブリを示す。
【０１１９】
ポンプアセンブリはさらに、図１４、１５、２１に示されるようにプラーそり又はプレート３０１として構成され、ベース１２８にスライド可能に係合されたプラーアセンブリ３００と、ベース１２８にスライド移動可能に係合されたプッシャーアセンブリ２００と、を備える。実施の形態では、プラー２００およびプッシャー３００は、第２ベース部分１０４にスライド係合する。テープスプリングは、スプリングの第１端部がプラー３００に接続され、スプリングの第２端部がプラー２００に接続されている。図１４、１５では、また図２１でより詳細に示されるように、プッシャーアセンブリは、スプリングハウジング２０６およびスプール２０７を含む。テープスプリング２０８はスプールに巻かれている。テープスプリングは、スプールに直接取り付けられる、またはテープスプリングの巻きがスプールに直接取り付けられずにスプールに載置される。スプール２０７は、ドラムシャフト２０９に取り付けられたスプールドラムである。プッシャーは、図１４では、内部に支持壁またはリブを有する凹状内部空間２０１を有するＣ型の構造体であり、プランジャの頭部に接触するよう寸法決めされる。
【０１２０】
プラー３００およびプッシャー２００は、ベース１２８にスライド係合している。図１４、１５、１８、１９、２１では、ポンプアセンブリは、トラックシステム１２１を有する。トラックシステムは、第２ベース部分１０４の一方の側縁上の第１トラックガイド１２２および第２ベース部分１０４の他方の側縁上の第２トラックガイド１２７からなる（図１８参照）。図示の実施の形態では、第１トラックガイド１２２は、内側に面し、第２ベース部分の一方の内側の側縁に沿って長手方向に延在する第１チャネルである。第２トラックガイド１２７は、内側に面し、互いに向かい合うように、第２ベース部分の他方の内側の側縁に沿って延在する平行な第２チャネルである。プラー３００は、対向する第１チャネル１２２および第２チャネル１２７にスライド可能に係合するプラーガイド要素３０２を有する。プッシャー２００は、対向する第１チャネル１２２および第２チャネル１２７にスライド可能に係合するプッシャーガイド要素２０３（図１９参照）を有する。プラーとプッシャーで同一のトラックシステムが使用されているので、プラー３００はトラックシステム上にスライド可能に取り付けられ、したがってプッシャーの遠位側のベース上に位置決めされる。
【０１２１】
図１４に示されるように、第１リンク機構４００および第２リンク機構４０１はカバー５００をプラー３００に枢動可能に連結する。第１リンク機構４００の旋回ポイント４０２および旋回ポイント４０３と、第２リンク機構４０１の旋回ポイント４０４および旋回ポイント４０５とは、カバー５００が下げられときにプラーを遠位端部に向けてスライド移動させ、カバー５００が上げられたときにプラーを近位端部に向けてスライド移動させるように位置している。特に、第１リンク機構の旋回ポイント４０２および第２リンク機構の旋回ポイント４０４は、第２カバー部分上にある。第１リンク機構４００および第２リンク機構４０１は、ある角度で、特にある規定された角度で、プラー３００に向かって曲がっている。リンク機構の曲り部４０６、４０７のポイントは、２つの部分を有する曲りリンク機構を提供するためにリンク機構の中心からプラーの近位側にオフセットしている。リンク機構の第１部分は第２部分よりも短い。図示の実施の形態では、より短い部分である第１部分は、枢動可能にプラー３００に接続されている。一方、より長い部分である第２部分は、枢動可能に第２カバー部分５０２に接続されている。ある実施の形態では、プラー３００の移動と連動される第１リンク機構４００および第２リンク機構４０１の移動を維持するために、第１リンク機構４００および第２リンク機構４０１は、実質的に同一の長さであり、リンク機構の実質的に同じポイントに曲り部を有し、実質的に同じ曲り角を有する。加えて、プラーが移動するときに第１リンク機構および第２リンク機構が実質的に平行に移動するために、第１リンク機構および第２リンク機構を枢着させるカバー上の位置は、近位端部から実質的に同じ距離にあり、第１リンク機構により近いカバーの一方の側縁からの距離と第２リンク機構により近いカバーの側縁からの距離もまた実質的に同じである。
【０１２２】
図１４、１５によって示される実施の形態では、拡張位置のベース１２８は、本明細書で説明されるように、プランジャ（例えば、注射器プランジャを有する注射器バレル）を有するチャンバボディに適合するよう寸法決めされたベース内部１０５を有する。ポンプアセンブリ１００は、チャンバボディをセンターリングするための及び／又は保持するためのカラー７００を含む。図示の実施の形態のカラー７００は、オープンカラーであり、カラーガイドトラックシステム７０４を介してベースにスライド可能に係合し、近位および遠位に移動させることができる。図２０に示すように、カラー７００は、チャンバ本体の末端部（例えば、指掛け用フランジ）を受けるための座部（遠位面）７０５および凹部７０６を有し、かつ、カラーをカラートラックシステム７０４にスライド可能に係合するカラーガイド要素７０７を有する。カラートラックシステムは、例えば、第３チャネルおよび第４チャネルのような第２の一対の平行な内向きのチャネルを含む。第３チャネルは、内側に面し、第２ベース部分の第２の一対の対向する側壁のうちの一方の側壁の内側面に沿って長手方向に延在する。第４チャネルは、内側に面し、第２ベース部分の第２の一対の対向する側壁のうちの他方の側面の内側面に沿って長手方向に延在する。第３チャネルおよび第４チャネルは、平行であり、互いに対向ししている。カラーガイド要素７０７は、第３チャネルおよび第４チャネルにスライド可能に係合される。当業者に明らかであるように、第３および第４チャネルはまた、内側に突出し、一対の対向する側壁のひとつの側壁に沿って長手方向に延在するフランジとの間に形成されてもよい。内側に突出して長手方向に延在するガイドレールが、フランジとガイドレールとの間に隙間を空けて、フランジの下方に配置される。カラーガイド要素は、ガイドレール上にスライド可能に取り付けられ、フランジとガイドレールとの間に形成されたチャネルに係合する。ある実施の形態では、カラースプリング７０１は、例えば第３および第４チャネルのようなカラートラックチャネルの内部に配置され、カラーの近位側に接触する。カラースプリング７０１は、カラー７００をカラーストップまたはプランジャの末端に当接または押圧するが、例えばプランジャを有するチャンバボディがベース内に着座するときにカラーが近位側に移動されるのを許容する。ある実施の形態では、図２０に示されるように、カラー７００は、異なるサイズの末端部を受けるように、入れ子にされた２つ以上の凹部７０６を有することができる。例えば、カラーは近位凹部および遠位凹部を有していてもよい。遠位凹部は、遠位凹部よりも大きな面を有し、２つの異なるサイズの末端部をカラーによって収容することができる。ある実施の形態では、カラーは、面のサイズが異なる複数の入れ子状の凹部を有し、各凹部は、他の凹部とは異なるサイズの末端部を受け、凹部の面のサイズは、入れ子状の凹部の遠位端部から近位端部に向かって小さくなる。
【０１２３】
カラーに加えて、図１４、２０に示されるようにポンプアセンブリは、規定された位置で遠位側へのカラー７００の移動を止めるためのカラーストップ７０２を含む。図１４、２０では、カラーストップ７２０は、第２ベース部分１０４の開口端に取り付けられる。カラーストップは、カラーガイド要素７０８を介してカラーストップガイドレール７０３にスライド可能に係合される。ポンプアセンブリが、ハウジングに着座された注射器を有するチャンバボディがない閉状態にあるとき、カラースプリング７０１はカラー７００をカラーストップ７０２に対して遠位方向に押す。カラーストップは、カラーガイドシステム７０４からカラーが外れないようにする。カラーストップ７０２はまた、第１ベース部分および第２ベース部分がコンパクト位置から拡張位置まで互いに対してスライド移動するときに第１のベース部分１０３と第２のベース部分１０４とが分離するのを防ぐためのベースストップ１２０（例えば図１４、１５参照）に接触するよう寸法決めされる。図１４の実施の形態はまた、第２ベース部分上の突起として構成された戻り止め要素（不図示）と、斜めの突起を受け入れる第１ベース部分の対応する補完穴と、含む。斜めの形状により、第１ベース部分および第２ベース部分がコンパクト位置にスライド移動したときに、戻り止め要素が穴から容易に外れる。
【０１２４】
図１４の実施の形態のポンプアセンブリの操作は、図１のポンプアセンブリの操作と実質的に同一である。図１４〜２５に示される実施の形態のポンプアセンブリを操作するため、ポンプアセンブリ１００のハウジングは、第１ベース部分１０３および第２ベース部分１０４を閉じたコンパクト位置から閉じた拡張位置まで互いに対してスライド移動させることによって拡張される。カバーをハウジングに保持するための掛止または係止が解放され、カバー５００がベースから離れるように持ち上げられ、リンク機構４０３、４０４が枢動可能にカバー５００に連結しているのでプラー３００を近位にスライド移動させ、プラー３００はカバーの上昇に伴って近位に移動する。プラーが近位端部１０１に向かって十分に後退すると、カラー７００をカラーガイドチャネル上を近位側にスライド移動させ、チャンバボディの末端部（例えば指掛け用フランジ）をフランジに相補的なカラーシート７０５および凹状空間７０６に係合することによって、流体で満たされ、スライド可能に配置されたプランジャを有するチャンバボディ（例えば注射器バレル）がベース１２８の内部空間１０５に着座される。カラーガイドチャネル内に配置されたカラースプリングは、カラーが注射器バレルの末端部（すなわち指掛け用フランジ）に押しつけられたままにする。チャンバボディの吐出口先端は、ルアーロケータ１１７上に配置される（例えば図１４参照）。典型的な注入装置では、チューブまたは他のコネクタがチャンバボディの吐出口に取り付けられる。プランジャの頭部に力を加えるために、カバーを下降させ、リンク機構４０３、４０４を遠位に移動させ、それによってプラー３００をベースの遠位端部に向かってスライド移動させる。プッシャーヘッド接触部２０１が注射器プランジャの頭部に接触し、プランジャの頭部を押すまで、プラーの遠位への移動はプッシャーも移動させる。プランジャの抵抗により、カバーが閉じられたときにプラーがさらに遠位に移動するときに、プッシャーのスプリングハウジング内で巻かれたテープスプリングからテープスプリングが巻き戻される。巻かれていないテープスプリングは、プッシャーに実質的に一定の力を与え、ひいてはプランジャ頭部に一定の力を与え、プランジャが遠位に動かされるときにチャンバボディのチャンバ内の内容物を追い出す。チャンバの内容物が排出され、プランジャーが遠位に移動すると、カバーが開かれ、かつ、持ち上げられ、プラーを近位に引っ込め、プッシャーをプランジャーの頭部に接触させないようにし、プランジャーを有するチャンバボディを取り外すのを可能にする。次いで、カバーを閉じ、図２４に示されるように、第２ベース部分および第１ベース部分を互いに向かって押すことによって、ハウジングが圧縮位置に置かれる。
【０１２５】
本明細書で論じるように、ポンプアセンブリ１００は、液体および好ましくは治療液を投与するために使用されてもよい。ある実施の形態では、ポンプは、治療を必要する患者の皮下または静脈内投与のために使用される。例えば、ポンプは、抗生物質、キレート剤を投与したり、または免疫グロブリン療法などの生物学的療法を必要とする患者に投与したりするために使用されてもよい。
【０１２６】
ある実施の形態では、ポンプアのスプリング２０８は、治療の粘度に適切に対応するように選択される。例えば、低粘度の液体の場合、ポンプのスプリング２０８は、プランジャ８０６の筒部に加える力を小さくするために、より小さい張力を有するスプリングから選択される。免疫グロブリンのような高粘度流体の場合、プランジャ８０６の頭部により大きい力を加えるために、より高い張力のスプリングを使用することができる。
【０１２７】
ある実施の形態では、注射器に取り付けられたチューブは、液体の流量を制御するように選択することができる。例えば、狭い内径を有するチューブは、より遅い投与速度が所望される場合に選択され、より広い内径を有するチューブがより急速な投与のために選択され得る。加えて、チューブは、その全体が参照により本明細書に援用される国際特許出願番号第ＰＣＴ／ＵＳ２０１４／０１６４２６のように、患者への投与速度を制御するために、直列または並列に配置されてもよい。
【０１２８】
本開示はまた、液体を投与するためにポンプを使用する方法を提供する。ある実施の形態では、本明細書に記載のポンプのいずれかを用いて、治療薬などの液体を投与することができる。ある実施の形態では、ポンプのベースは、コンパクト化された状態から拡張される。液体が予め充填された注射器は、本明細書に記載されるようにポンプのベース内に装填される。予め装填された注射器は、注入療法のためにチューブおよび針と適合させることができる。患者または第三者は、患者の体内に、チューブに取り付けられた１つ以上の針を配置することができる。注射器が、ハウジングから延びるチューブを有するポンプのベースに配置されると、カバーを下げて液体の投与を開始することができる。このカバーは、投与を停止するために液体の投与中に開けることができる。投与が完了したら、ユーザはカバーを開けて注射器を取り外すことができる。ポンプは、保管または可搬性のためにコンパクト化できる。
【０１２９】
別の態様では、ポンプアセンブリは、抗生物質、免疫グロブリン調製物または他の治療用抗体のような治療用流体、または、化学療法剤を投与するための注入システムにおいてシリンジと共に使用される。様々な実施の形態において、注入システムまたは関連キットは、本明細書に記載のポンプアセンブリを含むことができる。他の実施の形態では、注入システムまたは関連するキットは、ポンプアセンブリに加えて、ポンプアセンブリに着座するように寸法決めされたシリンジ、シリンジを注入システムの構成要素に接続するためのルアーコネクタまたはディスクルアーコネクタ、チューブセット特に注射針を注射器に接続するための注入チューブセット、投与のための治療流体の流れを制御するための流量コントローラ、治療液を患者の体内に投与するための注射針セットの１つ以上を含む。前述の構成要素の異なる組み合わせを有する種々の注入システムを作ることができる。
【０１３０】
本発明の特定の実施の形態について論じたが、上記の説明は例示であり、限定的ではない。本明細書を検討すると、当業者には本発明の多くの変形が明らかになるであろう。
【図１】
0006663855.tif 000002
【図２】
0006663855.tif 000003
【図３】
0006663855.tif 000004
【図４】
0006663855.tif 000005
【図５】
0006663855.tif 000006
【図６】
0006663855.tif 000007
【図７】
0006663855.tif 000008
【図８】
0006663855.tif 000009
【図９】
0006663855.tif 000010
【図１０】
0006663855.tif 000011
【図１１】
0006663855.tif 000012
【図１２】
0006663855.tif 000013
【図１３】
0006663855.tif 000014
【図１４】
0006663855.tif 000015
【図１５】
0006663855.tif 000016
【図１６】
0006663855.tif 000017
【図１７】
0006663855.tif 000018
【図１８】
0006663855.tif 000019
【図１９】
0006663855.tif 000020
【図２０】
0006663855.tif 000021
【図２１】
0006663855.tif 000022
【図２２】
0006663855.tif 000023
【図２３】
0006663855.tif 000024
【図２４】
0006663855.tif 000025
【図２５】
0006663855.tif 000026